(57)【特許請求の範囲】
【請求項１】
複数の被描画媒体を備える被描画体に描画することで、前記複数の被描画媒体のそれぞれの被描画媒体に媒体画像を描画するための描画画像の画像データを生成するデータ生成装置であって、
前記画像データの生成に用いる設定画面部と、
前記媒体画像を表示する媒体画像画面部と、
前記被描画体を二次元形状として表示するレイアウト表示画面部と、を備え、
前記設定画面部の横方向における前記被描画媒体の幅、前記設定画面部の縦方向における前記被描画媒体の幅、前記横方向における前記被描画媒体の配列ピッチ、及び、前記縦方向における前記被描画媒体の配列ピッチを、前記設定画面部に表示し、
前記媒体画像画面部に表示されており、選択された前記媒体画像を、前記レイアウト表示画面部に表示されており、選択された前記被描画媒体に重ねて割り付けることによって、前記描画画像における前記媒体画像の配置位置を規定して、前記画像データを生成することを特徴とするデータ生成装置。
【請求項２】
割付指示入力部を備え、前記割付指示入力部を介して割付が指示されることに対応して、選択された前記媒体画像を、選択された前記被描画媒体に重ねて割り付けることを特徴とする、請求項１に記載のデータ生成装置。
【請求項３】
前記媒体画像画面部に表示された前記媒体画像がドラッグされ、前記レイアウト表示画面部にドロップされることに対応して、
前記媒体画像画面部に表示された前記媒体画像がドラッグされることによって、ドラッグされた前記媒体画像を選択し、
前記レイアウト表示画面部にドロップされることによって、前記レイアウト表示画面部において選択された前記被描画媒体に、選択された前記媒体画像を割り付けることを特徴とする、請求項１又は２に記載のデータ生成装置。
【請求項４】
全選択指示入力部を備え、前記全選択指示入力部を介して全選択が指示されることに対応して、前記レイアウト表示画面部に表示された全ての前記被描画媒体を選択することを特徴とする、請求項１乃至３のいずれか一項に記載のデータ生成装置。
【請求項５】
前記レイアウト表示画面部に表示された前記被描画媒体がクリックされることに対応して、クリックされた前記被描画媒体を選択することを特徴とする、請求項１乃至４のいずれか一項に記載のデータ生成装置。
【請求項６】
複数選択指示入力部を備え、前記複数選択指示入力部を介して複数選択が指示されることに対応して、前記レイアウト表示画面部においてクリックされた複数の前記被描画媒体を選択することを特徴とする、請求項１乃至５のいずれか一項に記載のデータ生成装置。
【請求項７】
群選択指示入力部を備え、前記群選択指示入力部を介して群の選択が指示されることに対応して、前記レイアウト表示画面部においてクリックされた２個の前記被描画媒体を両端とする直線状に並んだ前記被描画媒体の群、又はクリックされた２個の前記被描画媒体を対角とする長方形形状に並んだ前記被描画媒体及び当該長方形形状に並んだ前記被描画媒体に囲まれた前記被描画媒体の群に含まれる前記被描画媒体を選択することを特徴とする、請求項１乃至６のいずれか一項に記載のデータ生成装置。
【請求項８】
領域選択指示入力部を備え、前記領域選択指示入力部を介して領域の選択が指示されることに対応して、前記レイアウト表示画面部において選択された領域に位置する前記被描画媒体を選択することを特徴とする、請求項１乃至７のいずれか一項に記載のデータ生成装置。
【請求項９】
前記媒体画像画面部に表示された前記媒体画像がドラッグされ、前記レイアウト表示画面部に表示された前記被描画媒体にドロップされることに対応して、
前記媒体画像画面部に表示された前記媒体画像がドラッグされることによって、ドラッグされた前記媒体画像を選択し、
前記レイアウト表示画面部に表示された前記被描画媒体にドロップされることによって、ドロップされた前記被描画媒体を選択するとともに、当該被描画媒体に、選択された前記媒体画像を割り付けることを特徴とする、請求項１又は２に記載のデータ生成装置。
【請求項１０】
形状判定手段を備え、前記形状判定手段は、前記被描画媒体の形状と前記媒体画像の形状とを比較し、前記被描画媒体より前記媒体画像が大きい場合には、割付の実施を停止させることを特徴とする、請求項１乃至９のいずれか一項に記載のデータ生成装置。
【請求項１１】
前記形状判定手段は、前記被描画媒体の形状と前記媒体画像の形状とを比較し、前記被描画媒体より前記媒体画像が大きい場合には、警告表示を表示することを特徴とする、請求項１０に記載のデータ生成装置。
【請求項１２】
回転指示入力部を備え、前記回転指示入力部を介して前記媒体画像の回転が指示されることに対応して、前記レイアウト表示画面部において選択された前記被描画媒体に割り付けられた前記媒体画像を回転させることを特徴とする、請求項１乃至１１のいずれか一項に記載のデータ生成装置。
【請求項１３】
回転形状判定手段を備え、前記回転形状判定手段は、前記被描画媒体の形状と回転後の前記媒体画像の形状とを比較し、回転後の前記媒体画像の少なくとも一部が前記被描画媒体に重ならない位置に位置する場合には、前記媒体画像の回転の実施を停止させることを特徴とする、請求項１乃至１２のいずれか一項に記載のデータ生成装置。
【請求項１４】
前記回転形状判定手段は、前記被描画媒体の形状と回転後の前記媒体画像の形状とを比較し、回転後の前記媒体画像の少なくとも一部が前記被描画媒体に重ならない位置に位置する場合には、警告表示を表示することを特徴とする、請求項１３に記載のデータ生成装置。
【請求項１５】
消去指示入力部を備え、前記消去指示入力部を介して前記媒体画像の消去が指示されることに対応して、前記レイアウト表示画面部において選択された前記被描画媒体に割り付けられた前記媒体画像を消去させることを特徴とする、請求項１乃至１４のいずれか一項に記載のデータ生成装置。
【請求項１６】
前記レイアウト表示画面部に表示された前記被描画媒体がドラッグされ、さらに他の前記被描画媒体にドロップされることに対応して、ドラッグされた前記被描画媒体に割り付けられた前記媒体画像を、ドロップされた前記被描画媒体に割り付けることを特徴とする、請求項１乃至１５のいずれか一項に記載のデータ生成装置。
【請求項１７】
前記レイアウト表示画面部に表示された前記被描画媒体がドラッグされ、さらに他の前記被描画媒体にドロップされることに対応して、ドラッグされた前記被描画媒体に割り付けられた前記媒体画像を、ドロップされた前記被描画媒体に割り付けるとともに、ドラッグされた前記被描画媒体に割り付けられた前記媒体画像を消去することを特徴とする、請求項１乃至１５のいずれか一項に記載のデータ生成装置。
【請求項１８】
選択画像表示指示入力部を備え、前記選択画像表示指示入力部を介して選択画像の表示が指示されることに対応して、選択されている前記媒体画像を表示することを特徴とする、請求項１乃至１７のいずれか一項に記載のデータ生成装置。
【請求項１９】
前記被描画体の全体を表示する全体表示画面部をさらに備え、前記レイアウト表示画面部は、前記被描画体の部分を表示することを特徴とする、請求項１乃至１８のいずれか一項に記載のデータ生成装置。
【請求項２０】
前記媒体画像画面部に表示された前記媒体画像がクリックされることに対応して、クリックされた前記媒体画像を選択することを特徴とする、請求項１乃至１９のいずれか一項に記載のデータ生成装置。
【請求項２１】
複数の被描画媒体を備える被描画体に描画することで、前記複数の被描画媒体のそれぞれの被描画媒体に媒体画像を描画するための描画画像の画像データを生成するデータ生成方法であって、
媒体画像画面部に前記媒体画像を表示する工程と、
レイアウト表示画面部に前記被描画体を二次元形状として表示する工程と、
前記媒体画像画面部に表示された前記媒体画像の中の選択された前記媒体画像を、前記レイアウト表示画面部に表示された前記被描画媒体の中の選択された前記被描画媒体に重ねて割り付けることによって、前記描画画像における前記媒体画像の配置位置を規定する工程と、
設定画面部の横方向における前記被描画媒体の幅、前記設定画面部の縦方向における前記被描画媒体の幅、前記横方向における前記被描画媒体の配列ピッチ、及び、前記縦方向における前記被描画媒体の配列ピッチを表示する工程と、
を有することを特徴とするデータ生成方法。
【請求項２２】
複数の被描画媒体を備える被描画体に描画することで、前記複数の被描画媒体のそれぞれの被描画媒体に媒体画像を描画するための描画画像の画像データを生成するためのプログラムであって、
媒体画像画面部に前記媒体画像を表示する工程と、
レイアウト表示画面部に前記被描画体を二次元形状として表示する工程と、
前記媒体画像画面部に表示された前記媒体画像の中の選択された前記媒体画像を、前記レイアウト表示画面部に表示された前記被描画媒体の中の選択された前記被描画媒体に重ねて割り付けることによって、前記描画画像における前記媒体画像の配置位置を規定する工程と、
設定画面部の横方向における前記被描画媒体の幅、前記設定画面部の縦方向における前記被描画媒体の幅、前記横方向における前記被描画媒体の配列ピッチ、及び、前記縦方向における前記被描画媒体の配列ピッチを表示する工程と、
をコンピューターに実行させるためのプログラム。
【発明の詳細な説明】
【技術分野】
【０００１】
本発明は、多数の被描画媒体に対して、被描画媒体のそれぞれに画像を描画するための描画用のデータを生成するデータ生成装置、データ生成方法、及びプログラムに関する。
【背景技術】
【０００２】
従来から、工業的に製造される製品の外面に数字や文字や図形などの画像を形成することで、製品の名称や型番などの表示や、製品のロット番号や個体の識別用の表示などを、製品に記載することが行われている。
多数の製品に効率よく画像を形成することができる描画方法として、特許文献１には、テープ又は基板上に整列させたチップ抵抗器に、インクジェットヘッドを備えるマーキング装置を用いてマーキングを実施し、着弾したインクの滲み開始前に、迅速に硬化させることで、小さい文字や記号をマーキング可能にした電子部品の製造方法及び電子部品の製造装置が開示されている。
【０００３】
しかし、多数の被描画媒体に画像を形成するための画像データを生成するためには、被描画媒体の大きさや個数や配列など、多数のパラメーターを扱うことが必要であり、画像データを作成する作業は、複雑であった。
特許文献２には、繰り返し印字する印字パターンに対応する印字パターンデータ及びその印字パターンの位置に対応する複数の印字位置データを、所定の基準座標及びそれに対する偏差によって把握して記憶するようにし、コンソールから補正値を入力して基準座標の補正と、偏差の補正との双方を可能にすることによって、繰り返し同一の文字などを印字する場合に、文字群全体の印字位置の調節も各文字の印字位置の調節も容易に行うことができるようにするレーザマーキング装置が開示されている。
特許文献３には、繰り返し印字する印字パターンに対応する印字パターンデータ及びその印字パターンの位置に対応する複数の印字位置データを、座標データを算出可能とする計算式を作成して、マーキング情報設定画面に入力設定すると、計算式の算出結果に基づき所望するパターンの座標データを生成することができることによって、マーキング情報の入力操作が簡便であってマーキング作業を迅速に実行することができるレーザマーキング装置が開示されている。
特許文献４には、加工データ生成部、加工データのイメージを３次元的に表示可能な表示部、当該加工データでは加工できない領域を算出する加工不良領域検出手段、及び加工できない内容を非表示にする設定警告手段を備え、加工条件を設定する段階で、加工内容が正しく加工可能な領域に配置されていることを確認可能とするレーザ加工装置、レーザ加工条件設定装置、レーザ加工条件設定方法、レーザ加工条件設定プログラム、コンピュータで読み取り可能な記録媒体及び記録した機器が開示されている。
【先行技術文献】
【特許文献】
【０００４】
【特許文献１】特開２００３−８０６８７号公報
【特許文献２】特開２００２−２９２４８３号公報
【特許文献３】特開２００９−８２９６３号公報
【特許文献４】特開２００８−１２５３９号公報
【発明の概要】
【発明が解決しようとする課題】
【０００５】
しかしながら、特許文献２や特許文献３に開示された装置では、パラメーターを数字としてのみ扱うため、多数のパラメーターを扱う中で、各パラメーターの区別がし難いことに起因して、誤った設定をする可能性があるという課題があった。また、誤った設定をしても、誤ったことに気づき難いため、そのまま画像データとして出力されてしまう可能性が高いという課題もあった。
特許文献４に開示された装置では、単独の画像について、設定したデータを確認することが可能であるが、複数の画像を配列するためのパラメーターを扱うことはできないため、多数のパラメーターを扱うことに起因する煩雑さを解消することはできないという課題があった。
【課題を解決するための手段】
【０００６】
本発明は、上記課題の少なくとも一部を解決するためになされたものであり、以下の形態又は適用例として実現することが可能である。
【０００７】
［適用例１］本適用例にかかるデータ生成装置は、複数の被描画媒体を備える被描画体に描画することで、前記複数の被描画媒体のそれぞれの被描画媒体に媒体画像を描画するための描画画像の画像データを生成するデータ生成装置であって、前記媒体画像を表示する媒体画像画面部と、前記被描画体を二次元形状として表示するレイアウト表示画面部と、を備え、前記媒体画像画面部に表示されており、選択された前記媒体画像を、前記レイアウト表示画面部に表示されており、選択された前記被描画媒体に重ねて割り付けることによって、前記描画画像における前記媒体画像の配置位置を規定して、前記画像データを生成することを特徴とする。
【０００８】
本適用例にかかるデータ生成装置によれば、媒体画像を表示する媒体画像画面部と、被描画体を二次元形状として表示するレイアウト表示画面部と、を備え、媒体画像画面部において選択された媒体画像を、レイアウト表示画面部において選択された被描画媒体に重ねて割り付けることによって、描画画像における媒体画像の配置位置を規定する。この構成により、データ生成装置を操作して画像データを生成する操作者などが、被描画媒体の形状や被描画体における被描画媒体の位置を二次元形状として視認することで、認識し易くすることができる。媒体画像を、二次元形状として視認できる被描画媒体に重ねて割り付けることによって配置することで、媒体画像を配置する位置を認識し易くすることができる。
【０００９】
［適用例２］上記適用例にかかるデータ生成装置は、割付指示入力部を備え、前記割付指示入力部を介して割付が指示されることに対応して、選択された前記媒体画像を、選択された前記被描画媒体に重ねて割り付けることが好ましい。
【００１０】
このデータ生成装置によれば、割付が指示されることに対応して、選択された媒体画像を、選択された被描画媒体に重ねて割り付ける。これにより、データ生成装置を操作して画像データを生成する操作者などは、割付の時点を任意に決定することができる。例えば、選択した媒体画像及び被描画媒体を確認する時間を任意にとることができる。
【００１１】
［適用例３］上記適用例にかかるデータ生成装置は、前記媒体画像画面部に表示された前記媒体画像がドラッグされ、前記レイアウト表示画面部にドロップされることに対応して、前記媒体画像画面部に表示された前記媒体画像がドラッグされることによって、ドラッグされた前記媒体画像を選択し、前記レイアウト表示画面部にドロップされることによって、前記レイアウト表示画面部において選択された前記被描画媒体に、選択された前記媒体画像を割り付けることが好ましい。
【００１２】
このデータ生成装置によれば、媒体画像がドラッグされることによって、ドラッグされた媒体画像を選択し、レイアウト表示画面部にドロップされることによって、レイアウト表示画面部において選択された被描画媒体に、選択された媒体画像を割り付ける。これにより、データ生成装置を操作して画像データを生成する操作者などは、媒体画像をドラッグし、レイアウト表示画面部にドロップするという簡単な操作で、任意の被描画媒体に、任意の媒体画像を割り付けることができる。
【００１３】
［適用例４］上記適用例にかかるデータ生成装置は、全選択指示入力部を備え、前記全選択指示入力部を介して全選択が指示されることに対応して、前記レイアウト表示画面部に表示された全ての前記被描画媒体を選択することが好ましい。
【００１４】
このデータ生成装置によれば、全選択指示入力部を介してレイアウト表示画面部に表示された全ての被描画媒体を選択することができる。これにより、データ生成装置を用いて画像データを生成する操作者などは、全選択指示入力部を操作するだけで、被描画媒体を選択することができる。
【００１５】
［適用例５］上記適用例にかかるデータ生成装置は、前記レイアウト表示画面部に表示された前記被描画媒体がクリックされることに対応して、クリックされた前記被描画媒体を選択することが好ましい。
【００１６】
このデータ生成装置によれば、被描画媒体がクリックされることに対応して、クリックされた被描画媒体を選択する。これにより、データ生成装置を操作して画像データを生成する操作者などは、被描画媒体をクリックするだけで、被描画媒体を選択することができる。
【００１７】
［適用例６］上記適用例にかかるデータ生成装置は、複数選択指示入力部を備え、前記複数選択指示入力部を介して複数選択が指示されることに対応して、前記レイアウト表示画面部においてクリックされた複数の前記被描画媒体を選択することが好ましい。
【００１８】
このデータ生成装置によれば、複数選択が指示されたことに対応して、レイアウト表示画面部においてクリックされた複数の被描画媒体を選択する。これにより、データ生成装置を操作して画像データを生成する操作者などは、複数選択指示入力部を介して複数選択を指示し、任意の被描画媒体をクリックするだけで、複数の被描画媒体を選択することができる。
【００１９】
［適用例７］上記適用例にかかるデータ生成装置は、群選択指示入力部を備え、前記群選択指示入力部を介して群の選択が指示されることに対応して、前記レイアウト表示画面部においてクリックされた２個の前記被描画媒体を両端とする直線状に並んだ前記被描画媒体の群、又はクリックされた２個の前記被描画媒体を対角とする長方形形状に並んだ前記被描画媒体及び当該長方形形状に並んだ前記被描画媒体に囲まれた前記被描画媒体の群に含まれる前記被描画媒体を選択することが好ましい。
【００２０】
このデータ生成装置によれば、群選択指示入力部を介して群の選択が指示されることに対応して、群に含まれる被描画媒体を選択する。これにより、データ生成装置を操作して画像データを生成する操作者などは、群選択指示入力部を介して群の選択を指示し、任意の群を指示するための被描画媒体をクリックするだけで、指示した群にふくまれる複数の被描画媒体を選択することができる。なお、２個の被描画媒体を対角とする長方形形状に並んだ被描画媒体及び当該長方形形状に並んだ被描画媒体に囲まれた被描画媒体の群は、１個の被描画媒体を一端として直線状に並んだ被描画媒体で構成され、当該１個の被描画媒体において交差する２本の線と、もう１個の被描画媒体を一端として直線状に並んだ被描画媒体で構成され、当該もう１個の被描画媒体において交差する２本の線と、で構成される四角形を構成する４本の線を構成するように並ぶ被描画媒体、及び当該４本の線を構成する被描画媒体に囲まれた位置に位置する被描画媒体からなる群である。
【００２１】
［適用例８］上記適用例にかかるデータ生成装置は、領域選択指示入力部を備え、前記領域選択指示入力部を介して領域の選択が指示されることに対応して、前記レイアウト表示画面部において選択された領域に位置する前記被描画媒体を選択することが好ましい。
【００２２】
このデータ生成装置によれば、領域選択指示入力部を介して領域の選択が指示されることに対応して、レイアウト表示画面部において選択された領域に位置する被描画媒体を選択する。これにより、データ生成装置を操作して画像データを生成する操作者などは、領域選択指示入力部を介して領域を指示するだけで、複数の被描画媒体を選択することができる。
【００２３】
［適用例９］上記適用例にかかるデータ生成装置は、前記媒体画像画面部に表示された前記媒体画像がドラッグされ、前記レイアウト表示画面部に表示された前記被描画媒体にドロップされることに対応して、前記媒体画像画面部に表示された前記媒体画像がドラッグされることによって、ドラッグされた前記媒体画像を選択し、前記レイアウト表示画面部に表示された前記被描画媒体にドロップされることによって、ドロップされた前記被描画媒体を選択するとともに、当該被描画媒体に、選択された前記媒体画像を割り付けることが好ましい。
【００２４】
このデータ生成装置によれば、ドラッグされた媒体画像を選択し、被描画媒体にドロップされることによって、ドロップされた被描画媒体に、選択された媒体画像を割り付ける。これにより、データ生成装置を操作して画像データを生成する操作者などは、媒体画像をドラッグし、被描画媒体にドロップするという簡単な操作で、任意の被描画媒体に、任意の媒体画像を割り付けることができる。
【００２５】
［適用例１０］上記適用例にかかるデータ生成装置は、形状判定手段を備え、前記形状判定手段は、前記被描画媒体の形状と前記媒体画像の形状とを比較し、前記被描画媒体より前記媒体画像が大きい場合には、割付の実施を停止させることが好ましい。
【００２６】
このデータ生成装置によれば、形状判定手段は、被描画媒体より媒体画像が大きい場合には、割付の実施を停止させる。被描画媒体より媒体画像が大きい場合は、媒体画像が被描画媒体からはみ出すため、媒体画像を適切に形成することができない場合である。被描画媒体より媒体画像が大きい場合に割付の実施を停止させることで、媒体画像を適切に形成することができない画像データが生成されることを抑制することができる。
【００２７】
［適用例１１］上記適用例にかかるデータ生成装置において、前記形状判定手段は、前記被描画媒体の形状と前記媒体画像の形状とを比較し、前記被描画媒体より前記媒体画像が大きい場合には、警告表示を表示することが好ましい。
【００２８】
このデータ生成装置によれば、形状判定手段は、被描画媒体より媒体画像が大きい場合には、警告表示を表示する。被描画媒体より媒体画像が大きい場合は、媒体画像が被描画媒体からはみ出すため、媒体画像を適切に形成することができない場合である。被描画媒体より媒体画像が大きい場合に警告表示を表示することで、被描画媒体と媒体画像の組み合わせが不適切であることを、データ生成装置を操作して画像データを生成する操作者などに認識され易くすることができる。
【００２９】
［適用例１２］上記適用例にかかるデータ生成装置は、回転指示入力部を備え、前記回転指示入力部を介して前記媒体画像の回転が指示されることに対応して、前記レイアウト表示画面部において選択された前記被描画媒体に割り付けられた前記媒体画像を回転させることが好ましい。
【００３０】
このデータ生成装置によれば、回転指示入力部を介して媒体画像の回転が指示されることに対応して、選択された被描画媒体に割り付けられた媒体画像を回転させる。これにより、データ生成装置を操作して画像データを生成する操作者などは、回転指示入力部を介して媒体画像の回転を指示し、任意の被描画媒体を選択するだけで、任意の媒体画像を回転させることができる。
【００３１】
［適用例１３］上記適用例にかかるデータ生成装置は、回転形状判定手段を備え、前記回転形状判定手段は、前記被描画媒体の形状と回転後の前記媒体画像の形状とを比較し、回転後の前記媒体画像の少なくとも一部が前記被描画媒体に重ならない位置に位置する場合には、前記媒体画像の回転の実施を停止させることが好ましい。
【００３２】
このデータ生成装置によれば、回転形状判定手段は、回転後の媒体画像の少なくとも一部が被描画媒体に重ならない位置に位置する場合には、媒体画像の回転の実施を停止させる。媒体画像の少なくとも一部が被描画媒体に重ならない位置に位置する場合は、回転させた媒体画像が被描画媒体からはみ出すため、媒体画像を適切に形成することができない場合である。回転後の媒体画像の少なくとも一部が被描画媒体に重ならない位置に位置する場合に媒体画像の回転の実施を停止させることで、媒体画像を適切に形成することができない画像データが生成されることを抑制することができる。
【００３３】
［適用例１４］上記適用例にかかるデータ生成装置において、前記回転形状判定手段は、前記被描画媒体の形状と回転後の前記媒体画像の形状とを比較し、回転後の前記媒体画像の少なくとも一部が前記被描画媒体に重ならない位置に位置する場合には、警告表示を表示することが好ましい。
【００３４】
このデータ生成装置によれば、回転形状判定手段は、回転後の媒体画像の少なくとも一部が被描画媒体に重ならない位置に位置する場合には、警告表示を表示する。媒体画像の少なくとも一部が被描画媒体に重ならない位置に位置する場合は、回転させた媒体画像が被描画媒体からはみ出すため、媒体画像を適切に形成することができない場合である。回転後の媒体画像の少なくとも一部が被描画媒体に重ならない位置に位置する場合に警告表示を表示することで、媒体画像を回転させることが不適切であることを、データ生成装置を操作して画像データを生成する操作者などに認識され易くすることができる。
【００３５】
［適用例１５］上記適用例にかかるデータ生成装置は、消去指示入力部を備え、前記消去指示入力部を介して前記媒体画像の消去が指示されることに対応して、前記レイアウト表示画面部において選択された前記被描画媒体に割り付けられた前記媒体画像を消去させることが好ましい。
【００３６】
このデータ生成装置によれば、消去指示入力部を介して媒体画像の消去が指示されることに対応して、選択された被描画媒体に割り付けられた媒体画像を消去させる。これにより、データ生成装置を操作して画像データを生成する操作者などは、消去指示入力部を介して媒体画像の消去を指示し、任意の被描画媒体を選択するだけで、任意の媒体画像を消去することができる。
【００３７】
［適用例１６］上記適用例にかかるデータ生成装置は、前記レイアウト表示画面部に表示された前記被描画媒体がドラッグされ、さらに他の前記被描画媒体にドロップされることに対応して、ドラッグされた前記被描画媒体に割り付けられた前記媒体画像を、ドロップされた前記被描画媒体に割り付けることが好ましい。
【００３８】
このデータ生成装置によれば、レイアウト表示画面部に表示された被描画媒体がドラッグされ、他の被描画媒体にドロップされることに対応して、ドラッグされた被描画媒体に割り付けられた媒体画像を、ドロップされた被描画媒体に割り付ける。これにより、データ生成装置を操作して画像データを生成する操作者などは、レイアウト表示画面部において、いわゆるドラッグアンドドロップ操作によって、媒体画像を複写することができる。
【００３９】
［適用例１７］上記適用例にかかるデータ生成装置は、前記レイアウト表示画面部に表示された前記被描画媒体がドラッグされ、さらに他の前記被描画媒体にドロップされることに対応して、ドラッグされた前記被描画媒体に割り付けられた前記媒体画像を、ドロップされた前記被描画媒体に割り付けるとともに、ドラッグされた前記被描画媒体に割り付けられた前記媒体画像を消去することが好ましい。
【００４０】
このデータ生成装置によれば、レイアウト表示画面部に表示された被描画媒体がドラッグされ、他の被描画媒体にドロップされることに対応して、ドラッグされた被描画媒体に割り付けられた媒体画像を、ドロップされた被描画媒体に割り付けるとともに、ドラッグされた被描画媒体に割り付けられた媒体画像を消去する。これにより、データ生成装置を操作して画像データを生成する操作者などは、レイアウト表示画面部において、いわゆるドラッグアンドドロップ操作によって、媒体画像を移動することができる。
【００４１】
［適用例１８］上記適用例にかかるデータ生成装置は、選択画像表示指示入力部を備え、前記選択画像表示指示入力部を介して選択画像の表示が指示されることに対応して、選択されている前記媒体画像を表示することが好ましい。
【００４２】
このデータ生成装置によれば、選択画像表示指示入力部を介して選択画像の表示が指示されることに対応して、選択されている媒体画像を表示する。これにより、データ生成装置を操作して画像データを生成する操作者などは、選択されている媒体画像を表示させて、どの媒体画像が選択されているかを、容易に確認することができる。
【００４３】
［適用例１９］上記適用例にかかるデータ生成装置は、前記被描画体の全体を表示する全体表示画面部をさらに備え、前記レイアウト表示画面部は、前記被描画体の部分を表示することが好ましい。
【００４４】
このデータ生成装置によれば、被描画体の全体を表示する全体表示画面部をさらに備え、レイアウト表示画面部は、被描画体の部分を表示する。データ生成装置を操作して画像データを生成する操作者などは、被描画体の全体を表示する全体表示画面部によって、被描画体の全体形状を確認することができる。被描画体の部分を表示するレイアウト表示画面部においては、被描画体の部分を、少なくとも全体表示画面部の表示より拡大して表示することができる。このため、上記操作者などは、被描画体の部分を表示するレイアウト表示画面部によって、被描画体を詳細に確認することができる。全体表示画面部のみの場合にくらべて、被描画体を詳細に確認することができる。レイアウト表示画面部において被描画体の全体を拡大して表示する場合にくらべて、表示装置が大きくなることを抑制することができる。
【００４５】
［適用例２０］上記適用例にかかるデータ生成装置は、前記媒体画像画面部に表示された前記媒体画像がクリックされることに対応して、クリックされた前記媒体画像を選択することが好ましい。
【００４６】
このデータ生成装置によれば、媒体画像がクリックされることに対応して、クリックされた媒体画像を選択する。これにより、データ生成装置を操作して画像データを生成する操作者などは、媒体画像をクリックするだけで、媒体画像を選択することができる。
【００４７】
［適用例２１］本適用例にかかるデータ生成方法は、複数の被描画媒体を備える被描画体に描画することで、前記複数の被描画媒体のそれぞれの被描画媒体に媒体画像を描画するための描画画像の画像データを生成するデータ生成方法であって、媒体画像画面部に前記媒体画像を表示する工程と、レイアウト表示画面部に前記被描画体を二次元形状として表示する工程と、前記媒体画像画面部に表示された前記媒体画像の中の選択された前記媒体画像を、前記レイアウト表示画面部に表示された前記被描画媒体の中の選択された前記被描画媒体に重ねて割り付けることによって、前記描画画像における前記媒体画像の配置位置を規定する工程と、を有することを特徴とする。
【００４８】
本適用例にかかるデータ生成方法によれば、媒体画像画面部に媒体画像を表示する工程と、レイアウト表示画面部に被描画体を二次元形状として表示する工程と、媒体画像画面部において選択された媒体画像を、レイアウト表示画面部において選択された被描画媒体に重ねて割り付けることによって、描画画像における媒体画像の配置位置を規定する工程と、を有する。これにより、データ生成方法を用いて画像データを生成する操作者などが、レイアウト表示画面部に表示された被描画媒体の形状や被描画体における被描画媒体の位置を二次元形状として視認することで、認識し易くすることができる。媒体画像を、二次元形状として視認できる被描画媒体に重ねて割り付けることによって配置することで、媒体画像を配置する位置を認識し易くすることができる。
【００４９】
［適用例２２］本適用例にかかるプログラムは、複数の被描画媒体を備える被描画体に描画することで、前記複数の被描画媒体のそれぞれの被描画媒体に媒体画像を描画するための描画画像の画像データを生成するためのプログラムであって、媒体画像画面部に前記媒体画像を表示する工程と、レイアウト表示画面部に前記被描画体を二次元形状として表示する工程と、前記媒体画像画面部に表示された前記媒体画像の中の選択された前記媒体画像を、前記レイアウト表示画面部に表示された前記被描画媒体の中の選択された前記被描画媒体に重ねて割り付けることによって、前記描画画像における前記媒体画像の配置位置を規定する工程と、をコンピューターに実行させるためのプログラムである。
【００５０】
本適用例にかかるプログラムによれば、媒体画像画面部に媒体画像を表示する工程と、レイアウト表示画面部に被描画体を二次元形状として表示する工程と、媒体画像画面部において選択された媒体画像を、レイアウト表示画面部において選択された被描画媒体に重ねて割り付けることによって、描画画像における媒体画像の配置位置を規定する工程と、が実施される。これにより、プログラムによって制御されるコンピューターを用いて画像データを生成する操作者などが、レイアウト表示画面部に表示された被描画媒体の形状や被描画体における被描画媒体の位置を二次元形状として視認することで、認識し易くすることができる。媒体画像を、二次元形状として視認できる被描画媒体に重ねて割り付けることによって配置することで、媒体画像を配置する位置を認識し易くすることができる。
【図面の簡単な説明】
【００５１】
【図１】（ａ）は、マーキング画像が描画された半導体パッケージを示す説明図。（ｂ）は、半導体パッケージが保持基板上に整列させられたパッケージ描画体を示す説明図。（ｃ）は、マーキング画像が描画された半導体チップを示す説明図。（ｄ）は、半導体チップが保持基板上に整列させられたチップ描画体を示す説明図。
【図２】描画装置ユニットの構成を示す説明図。
【図３】（ａ）は、液滴吐出装置全体の概略構成を示す外観斜視図。（ｂ）は、液滴吐出装置が備える液滴吐出ヘッドの概略構成を示す外観斜視図。
【図４】画像データ生成装置の機能的構成を示す説明図。
【図５】描画画像の画像データを生成する工程を示すフローチャート。
【図６】（ａ）は、設定画面の概要を示す説明図。（ｂ）は、パラメーター表示部に一部のパラメーターのみが表示された設定画面の例を示す説明図。
【図７】（ａ）は、入力ボックスが選択された状態の設定画面の例を示す説明図。（ｂ）は、パラメーターの入力が完了した状態の設定画面の例を示す説明図。
【図８】（ａ）は、アライメントマークの位置設定を実施するための設定画面を示す説明図。（ｂ）は、表裏判別マークの位置設定を実施するための設定画面を示す説明図。
【図９】（ａ）は、マガジンに関わるパラメーターの値を設定する際の設定画面を示す説明図。（ｂ）は、前処理設定工程を実施するための設定画面を示す説明図。
【図１０】（ａ）は、画像割付画面を示す説明図。（ｂ）は、チップ画像割付工程における画像割付画面を示す説明図。
【図１１】（ａ）は、１個のチップ画像像が挿入された画像割付画面を示す説明図。（ｂ）は、２個のチップ画像像が挿入された画像割付画面を示す説明図。
【図１２】（ａ）は、１個のチップ画像像が割り付けられた状態を示す説明図。（ｂ）は、１個のチップ表示像が選択された状態を示す説明図。
【図１３】（ａ）は、複数のチップ表示像が選択された状態を示す説明図。（ｂ）は、一列に並ぶ複数のチップ表示像が選択された状態を示す説明図。
【図１４】（ａ）は、長方形形状に並ぶチップ表示像及び長方形形状に並ぶチップ表示像に囲まれたチップ表示像が選択された状態を示す説明図。（ｂ）は、描画体全体画面に表示された全てのチップ表示像が選択された状態を示す説明図。
【図１５】（ａ）は、領域を指定する際のレイアウト表示画面を示す説明図。（ｂ）は、（ａ）のように領域を指定してチップ表示像が選択された状態を示す説明図。
【図１６】選択されたチップ表示像の位置に、選択されたチップ画像像の割付（配置）が実施された場合を示す説明図。
【図１７】警告画面が表示された画像割付画面を示す説明図。
【図１８】（ａ）は、２種類のチップ画像像が割り付けられた状態の画像割付画面を示す説明図。（ｂ）は、１種類のチップ画像像が割り付けられた状態の画像割付画面を示す説明図。
【図１９】（ａ）は、チップ画像像を消去するチップ表示像を選択した状態を示す説明図。（ｂ）は、選択されたチップ表示像のチップ画像像が消去された状態を示す説明図。
【図２０】（ａ）は、チップ画像像の方向を変えるチップ表示像を選択した状態を示す説明図。（ｂ）は、選択されたチップ表示像のチップ画像像が方向を変えられた状態を示す説明図。
【図２１】（ａ）は、コピーする基のチップ画像像が割り付けられたチップ表示像を選択した状態を示す説明図。（ｂ）は、チップ画像像がコピーされた状態を示す説明図。
【図２２】（ａ）は、選択されているチップ画像を表示する指令を入力する際の画像割付画面を示す説明図。（ｂ）は、選択されているチップ画像を表示する選択画像表示画面が表示された状態を示す説明図。
【図２３】生成された描画画像の画像データの例を示す説明図。
【発明を実施するための形態】
【００５２】
以下、データ生成装置について、図面を参照して説明する。本実施形態は、マーキング対象物にマーキング画像を形成するための描画画像の画像データ（以降、描画画像データと表記する。）生成するために用いるデータ生成装置を例にして説明する。本実施形態では、インクジェット方式の液滴吐出ヘッドを備える液滴吐出装置を用いて、描画画像を描画する。なお、以下の説明において参照する図面では、図示の便宜上、部材又は部分の縦横の縮尺を実際のものとは異なるように表す場合がある。マーキング対象物が、被描画媒体に相当する。マーキング画像が、媒体画像に相当する。
【００５３】
＜マーキング対象物＞
最初に、マーキング対象物について、図１を参照して説明する。図１は、マーキング対象物と、マーキング対象物に描画されたマーキング画像と、を示す説明図である。図１（ａ）は、マーキング画像が描画された半導体パッケージを示す説明図であり、図１（ｂ）は、半導体パッケージが保持基板上に整列させられたパッケージ描画体を示す説明図であり、図１（ｃ）は、マーキング画像が描画された半導体チップを示す説明図であり、図１（ｄ）は、半導体チップが保持基板上に整列させられたチップ描画体を示す説明図である。
【００５４】
図１（ａ）に示した、半導体パッケージ１１は、フリップチップ接続で実装するパッケージである。バンプが形成された面の反対側の面にマーキング画像であるパッケージ画像１１０が描画されている。パッケージ画像１１０は、例えば、ロゴマーク、製品名称、製品型番、ロット番号などの画像である。
図１（ｂ）に示したように、半導体パッケージ１１を保持基板１２の上に整列させて仮固定し、パッケージ描画体１０を構成する。パッケージ描画体１０に描画する画像を、パッケージ描画画像１１０Ａと表記する。パッケージ描画体１０を、液滴吐出装置１０１（図３参照）の媒体載置台３１（図３参照）に載置して、パッケージ描画体１０にパッケージ描画画像１１０Ａを描画することで、半導体パッケージ１１にパッケージ画像１１０を描画する。４行４列に整列した１６個の半導体パッケージ１１の組を、パッケージユニット１１Ａと表記する。
半導体パッケージ１１が、被描画媒体に相当する。パッケージ描画体１０が、被描画体に相当する。パッケージ画像１１０が、媒体画像に相当する。パッケージ描画画像１１０Ａが、描画画像に相当する。
【００５５】
図１（ｃ）に示した、半導体チップ１６は、ボンディングパットが形成された面の反対側の面にマーキング画像であるチップ画像１５０が描画されている。チップ画像１５０は、例えば、ロゴマーク、製品名称、製品型番、ロット番号などの画像である。
図１（ｄ）に示したように、半導体チップ１６を保持基板１７の上に整列させて仮固定し、チップ描画体１５を構成する。チップ描画体１５に描画する画像を、チップ描画画像１５０Ａと表記する。チップ描画体１５を、液滴吐出装置１０１の媒体載置台３１に載置して、チップ描画体１５にチップ描画画像１５０Ａを描画することで、半導体チップ１６にチップ画像１５０を描画する。３行５列に整列した１５個の半導体チップ１６の組を、チップユニット１６Ａと表記する。
半導体チップ１６が、被描画媒体に相当する。チップ描画体１５が、被描画体に相当する。チップ画像１５０が、媒体画像に相当する。チップ描画画像１５０Ａが、描画画像に相当する。
【００５６】
＜描画装置ユニット＞
次に、上述したチップ描画体１５のような描画対象に、チップ描画画像１５０Ａのような画像を描画する描画装置ユニットについて、図２を参照して説明する。図２は、描画装置ユニットの構成を示す説明図である。
【００５７】
図２に示すように、描画装置ユニット１００は、液滴吐出装置１０１と、搬送ロボット１０２と、前処理装置１０３と、温度調整装置１０４ａと、温度調整装置１０４ｂと、ロード装置１０５と、アンロード装置１０６と、描画ユニット制御装置１０７と、を備えている。
チップ描画体１５などは、所定のマガジンに装着される。チップ描画体１５などが装着されたマガジンをロード装置１０５に装填することで、チップ描画体１５などが、描画装置ユニット１００に供給される。
描画装置ユニット１００における処理が終了したチップ描画体１５などは、アンロード装置１０６に装填されたマガジンに装着される。当該マガジンをアンロード装置１０６から取り出すことによって、処理済みのチップ描画体１５などが、描画装置ユニット１００から除材される。
【００５８】
搬送ロボット１０２は、ロード装置１０５に装填されたマガジンからチップ描画体１５などを取り出し、液滴吐出装置１０１などの所定の位置に載置する。また、液滴吐出装置１０１などで処理されたチップ描画体１５などを、液滴吐出装置１０１などから除材して、次の処理を実施する装置に供給する。
液滴吐出装置１０１は、チップ描画体１５のような描画対象に、チップ描画画像１５０Ａのような画像を描画する。
前処理装置１０３は、チップ描画体１５などを、液滴吐出装置１０１によって描画するために好適な状態にするための前処理を実施する。
温度調整装置１０４ａ及び温度調整装置１０４ｂは、チップ描画体１５などの温度を、前処理装置１０３による処理や、液滴吐出装置１０１による描画を実施するために好適な温度に調整する。また、チップ描画画像１５０Ａなどを構成する機能液を硬化させるための加熱などを実施するために用いられる場合もある。
描画ユニット制御装置１０７は、画像データ生成装置５０（図４参照）を用いて生成された描画画像データにしたがって、上記した各装置などを制御して、チップ描画体１５のような描画対象に、チップ描画画像１５０Ａのような画像を描画させる。
【００５９】
＜液滴吐出装置＞
次に、液滴吐出装置１０１について、図３を参照して説明する。図３は、液滴吐出装置の概略構成を示す外観斜視図である。図３（ａ）は、液滴吐出装置全体の概略構成を示す外観斜視図であり、図３（ｂ）は、液滴吐出装置が備える液滴吐出ヘッドの概略構成を示す外観斜視図である。
【００６０】
図３（ａ）に示すように、液滴吐出装置１０１は、ヘッド機構部２と、媒体機構部３と、保守装置部５と、吐出装置制御部７と、を備えている。ヘッド機構部２は、機能液を液滴として吐出する液滴吐出ヘッド２０を有している。液滴吐出装置１０１は、また、図示省略した機能液供給部や、吐出検査装置部を備えている。液滴吐出ヘッド２０が吐出する機能液は、機能液供給部から液滴吐出ヘッド２０に供給される。吐出装置制御部７は、上記した各機構部などを総括的に制御する。
【００６１】
ヘッド機構部２は、キャリッジユニット２２と、キャリッジ走査機構４２とを、備えている。キャリッジユニット２２は、液滴吐出ヘッド２０を有するヘッドユニット２１と、紫外線を照射する紫外線照射部２７とを備えている。キャリッジ走査機構４２は、キャリッジユニット２２が吊設されたキャリッジ枠４５を備え、キャリッジ枠４５をＹ軸方向に移動させることで、キャリッジユニット２２をＹ軸方向に移動させる。
【００６２】
キャリッジ走査機構４２は、支持柱４３と、支持梁４４と、ガイド部４６と、駆動モーター４７と、駆動プーリー４７ａと、従動プーリー４７ｂと、ベルト４２ａと、キャリッジ枠４５と、エンコーダー４８と、を備えている。
支持梁４４は、２つの支持柱４３に掛け渡されるように設けられ、Ｙ軸方向に延在している。ガイド部４６は、支持梁４４に固定されており、Ｙ軸方向に延在している。駆動モーター４７は、支持梁４４のＹ軸方向における一方の端近くで、支持梁４４に固定されている。駆動モーター４７の出力軸には、駆動プーリー４７ａが固定されており、駆動プーリー４７ａが、駆動モーター４７によって回動駆動される。従動プーリー４７ｂは、支持梁４４のＹ軸方向における、駆動モーター４７が固定された端と反対側の端近くで、支持梁４４に、回動可能に固定されている。従動プーリー４７ｂの回動軸の軸方向は、駆動プーリー４７ａの回動軸（駆動モーター４７の出力軸）の軸方向と、略平行である。ベルト４２ａは、駆動プーリー４７ａと従動プーリー４７ｂとの間に掛け渡されており、駆動プーリー４７ａが回動することによって、駆動される。ベルト４２ａは、ガイド部４６と並行してＹ軸方向に延在している。エンコーダー４８は、支持梁４４に固定されており、ガイド部４６と略平行にＹ軸方向に延在している。
【００６３】
ベルト４２ａには、キャリッジ枠４５が固定されている。キャリッジ枠４５は、ガイド部４６に、Ｙ軸方向に摺動自在に係合している。キャリッジ枠４５は、駆動モーター４７によってベルト４２ａが駆動させられることによって、ガイド部４６に沿ってＹ軸方向に駆動される。キャリッジ枠４５のＹ軸方向の位置は、エンコーダー４８によって検出される。
キャリッジ枠４５を、キャリッジ走査機構４２によってＹ軸方向に移動させることで、キャリッジ枠４５に吊設されたヘッドユニット２１が有する液滴吐出ヘッド２０を、Ｙ軸方向に自在に移動させることができる。また、移動した任意の位置に保持することができる。
【００６４】
図３（ｂ）に示すように、液滴吐出ヘッド２０は、ノズル基板２５を備えている。ノズル基板２５には、多数の吐出ノズル２４が略一直線状に並んだノズル列２４Ａが、２列形成されている。吐出ノズル２４から機能液を液滴として吐出し、対向する位置にあるチップ描画体１５などに着弾させることで、当該位置に機能液を配置する。ノズル列２４Ａは、液滴吐出ヘッド２０が液滴吐出装置１０１に装着された状態で、図３（ａ）に示したＸ軸方向に延在している。ノズル列２４Ａにおいて吐出ノズル２４は等間隔のノズルピッチで並んでおり、２列のノズル列２４Ａ間で、吐出ノズル２４の位置がＸ軸方向に半ノズルピッチずれている。これにより、液滴吐出ヘッド２０としては、Ｘ軸方向に半ノズルピッチ間隔で機能液の液滴を配置することができる。
【００６５】
図３（ａ）に示すように、媒体機構部３は、媒体載置台３１と、スライド台３１ａと、媒体移動機構３３と、を備えている。
媒体移動機構３３は、Ｘ軸ガイド３５とＸ軸リニアモーター（図示省略）と、を備えている。Ｘ軸ガイド３５は、２つの支持柱４３の間で、支持梁４４の下方に配設されており、Ｙ軸方向と直交するＸ軸方向に略平行に延在している。
スライド台３１ａは、Ｘ軸方向に摺動自在に、Ｘ軸ガイド３５に支持されている。Ｘ軸リニアモーターは、Ｘ軸ガイド３５と略平行に配設されており、スライド台３１ａは、Ｘ軸リニアモーターによって、Ｘ軸方向に移動させられる。また、移動した任意の位置に保持させられる。媒体載置台３１は、図示省略した媒体回動機構によって、Ｘ軸方向及びＹ軸方向と直交するＺ軸方向に平行な軸まわりの方向に回動可能に、スライド台３１ａの上に固定されて、支持されている。
【００６６】
媒体移動機構３３によって、スライド台３１ａをＸ軸方向に移動させることで、スライド台３１ａに固定されて支持された媒体載置台３１を、Ｘ軸方向に自在に移動させることができる。また、移動した任意の位置に保持することができる。すなわち、媒体載置台３１に保持されたチップ描画体１５などを、Ｘ軸方向に自在に移動させることができる。また、移動した任意の位置に保持することができる。
【００６７】
ヘッド機構部２において、キャリッジ枠４５に吊設されたヘッドユニット２１が有する液滴吐出ヘッド２０は、ノズル基板２５を下側に向けて、保持されている。媒体載置台３１に保持されたチップ描画体１５などを、Ｘ軸方向の液滴吐出ヘッド２０が対向可能な位置まで移動して停止し、上方にある液滴吐出ヘッド２０（ヘッドユニット２１）のＹ軸方向の移動に同調して、機能液を液滴として吐出する。Ｘ軸方向に移動するチップ描画体１５などと、Ｙ軸方向に移動する液滴吐出ヘッド２０とを相対的に制御することにより、チップ描画体１５などの上の任意の位置に液滴を着弾させることで、所望する平面形状の描画を実施することが可能である。
キャリッジユニット２２において、ヘッドユニット２１のＹ軸方向の両側には、紫外線硬化型機能液を硬化させるための紫外線照射部２７が、１つずつ配設されている。紫外線硬化型の機能液を用いて描画した画像を、紫外線照射部２７を用いて硬化させることができる。
【００６８】
吐出装置制御部７は、液滴吐出ヘッド２０や、紫外線照射部２７や、キャリッジ走査機構４２の駆動モーター４７や、媒体移動機構３３のＸ軸リニアモーターなどと、電気的に接続されている。吐出装置制御部７が備える制御部から制御信号を送り、液滴吐出ヘッド２０や、紫外線照射部２７や、駆動モーター４７や、Ｘ軸リニアモーターなどを稼動させる。
【００６９】
保守装置部５は、各種保守装置を備えている。保守装置は、液滴吐出ヘッド２０の各種の保守を実施する装置である。液滴吐出ヘッド２０の保守を実施する際には、ヘッドユニット２１（液滴吐出ヘッド２０）が、キャリッジ走査機構４２を用いて保守装置部５に臨む位置に移動させられ、保守作業が実施される。
【００７０】
＜画像データ生成装置＞
次に、描画画像データを生成するために用いる画像データ生成装置５０について、図４を参照して説明する。描画画像データは、描画装置ユニット１００を用いてチップ描画画像１５０Ａなどを描画するためのものである。図４は、画像データ生成装置の機能的構成を示す説明図である。
【００７１】
図４に示すように、画像データ生成装置５０は、ホストコンピューター５１と、表示装置５３と、入出力装置５２と、を備えている。
ホストコンピューター５１は、演算装置５１ａと記憶装置５１ｂとを備えている。記憶装置５１ｂは、画像データ生成装置５０を、描画画像データを生成するための装置として機能させるプログラムやデータなどを記憶している。演算装置５１ａは、記憶装置５１ｂに記憶されたプログラムに従って、描画画像データを生成するための演算を実施する。
表示装置５３は、画面表示部５３ａを備えている。表示装置５３は、ホストコンピューター５１に制御されて、画面表示部５３ａに、描画画像データを生成するために用いる各種の設定画面を表示する。
入出力装置５２は、記憶装置５１ｂに記憶させるプログラムやデータなどや、描画画像データを規定するパラメーターの数値などを入力するための入力手段として機能する。また、生成した描画画像データの出力手段としても、機能する。
【００７２】
＜描画画像データ生成工程＞
次に、画像データ生成装置５０を用いて描画画像データを生成する工程について、図５乃至図２３を参照して説明する。描画画像データを生成する工程は、上述したチップ描画体１５に描画するチップ描画画像１５０Ａの描画画像データを生成する工程を例にして説明する。図５は、描画画像データを生成する工程を示すフローチャートである。図６から図２２は、描画画像データを生成する工程において表示される画面を示す説明図である。図２３は、生成された描画画像データの例を示す説明図である。
【００７３】
＜＜設定画面＞＞
画像データ生成装置５０では、画面表示部５３ａに、描画画像データを生成するために用いる各種の設定画面を表示する。画像データ生成装置５０を用いて描画画像データを生成する操作者は、表示されている設定画面に沿って、描画画像データを生成するためのデータを入力する。図６（ａ）は、設定画面の概要を示す説明図である。
図６（ａ）に示した設定画面６０は、初期の設定画面６０である。描画画像データを新規に生成する際は、描画画像データの新規作成を選択することで、図６（ａ）に示した初期の設定画面６０が、画面表示部５３ａに表示される。図６（ａ）に示したように、設定画面６０は、工程表示画面６１と、補助表示画面７１と、入力画面９１と、工程移行ボタン６２と、制限値表示画面６４と、を備えている。
【００７４】
工程表示画面６１は、チップ描画体１５に関わるデータを入力する３個の工程と、３個の工程における現在実施中の工程と、を表示している。チップ描画体１５に関わるデータを入力する３個の工程は、被描画体設定工程、画像処理マーク設定工程、及び描画装置ユニット設定工程である。被描画体設定工程を示す文字の色が濃くなっており、現在実施中の工程が被描画体設定工程であることを示している。
工程移行ボタン６２は、実施する工程を変えるためのボタンである。工程移行ボタン６２をクリックすることで、例えば、被描画体設定工程の設定画面６０を、画像処理マーク設定工程の設定画面６０に変えて、実施する工程を変えることができる。
【００７５】
入力画面９１は、チップ描画体１５を規定するパラメーターの値を入力するための画面である。入力画面９１は、入力ボックス９２と、ボックス表示９３と、を有している。入力ボックス９２を選択して、数値を入力することで、選択した入力ボックス９２が割り当てられたパラメーターの値を入力することができる。ボックス表示９３は、入力ボックス９２が割り当てられたパラメーターを表示している。図６（ａ）に示した入力画面９１には２０個の、入力ボックス９２が設定されており、２０個のパラメーターの数値の設定ができる。入力ボックス９２の選択は、選択する入力ボックス９２又は当該入力ボックス９２に対応するボックス表示９３をクリックすることで実施する。
【００７６】
補助表示画面７１は、プレビュー画面７２と、パラメーター位置画面７４と、を備えている。補助表示画面７１は、入力画面９１から入力されるパラメーターを、図面のような２次元形状として表示する画面である。
パラメーター位置画面７４は、平面表示画面７５と、厚さ表示画面７６と、表示選択ボックス７７とを備えている。
【００７７】
平面表示画面７５及び厚さ表示画面７６は、図形表示部８１と、パラメーター表示部８２と、を備えている。平面表示画面７５の図形表示部８１は、チップ表示像１６ａと、保持基板表示像１７ａと、ユニット枠８４と、を有している。厚さ表示画面７６の図形表示部８１は、チップ表示像１６ａと、保持基板表示像１７ａと、を有している。チップ表示像１６ａ及び保持基板表示像１７ａは、半導体チップ１６又は保持基板１７の外形の概要を、略長方形形状で示したものである。図６に二点鎖線の略長方形形状として示したユニット枠８４は、半導体チップ１６のチップユニット１６Ａを示している。ユニット枠８４に囲まれた複数の半導体チップ１６を、１個のチップユニット１６Ａとして扱う。平面表示画面７５及び厚さ表示画面７６では、チップ表示像１６ａと、保持基板表示像１７ａと、ユニット枠８４と、によって、チップ描画体１５の概略形状を示している。平面表示画面７５では、チップ描画体１５の平面形状の概略形状を示している。厚さ表示画面７６では、チップ描画体１５の側面形状の概略形状を示している。
【００７８】
パラメーター表示部８２は、図形表示部８１における各パラメーターに対応する部分を示している。パラメーター表示部８２では、寸法線及び寸法補助線のように、図形表示部８１における各パラメーターに対応する部分を示している。例えば、半導体チップ１６の幅Ｗｃは、チップ表示像１６ａの一辺の両端のそれぞれから、当該一辺に略垂直にひかれた寸法補助線状の線と、当該寸法補助線状の線の間に、対応する一辺に略平行にひかれた寸法線状の線と、で示されている。
パラメーター表示部８２に表示されたパラメーターに対応して、当該パラメーターの値を入力するための入力ボックス９２が、入力画面９１に形成されている。入力画面９１では、パラメーター表示部８２に示されたパラメーターの呼称が、当該パラメーターに対応する入力ボックス９２のボックス表示９３として、表示されている。パラメーター表示部８２の表示をクリックすることによっても、当該表示に対応するパラメーター（入力ボックス９２）を選択することができる。
【００７９】
表示選択ボックス７７は、チェックボックスである。図６（ａ）に示した表示選択ボックス７７のように、表示選択ボックス７７にチェックが入れられている場合には、図６（ａ）に示したパラメーター表示部８２のように、全てのパラメーターがパラメーター表示部８２に表示される。図６（ｂ）は、パラメーター表示部に一部のパラメーターのみが表示された設定画面の例を示す説明図である。図６（ｂ）に示した表示選択ボックス７７のように、表示選択ボックス７７にチェックが入れられていない場合には、入力画面９１で選択された入力ボックス９２に対応するパラメーターのみがパラメーター表示部８２に表示される。図６（ｂ）に示した入力画面９１では、入力ボックス９２が選択されていないため、図６（ｂ）に示した平面表示画面７５及び厚さ表示画面７６には、パラメーター表示部８２が表示されていない。
【００８０】
プレビュー画面７２は、チップ表示像１６ａと、保持基板表示像１７ａと、ユニット枠８４と、を有している。上述した図形表示部８１と同様に、チップ表示像１６ａ及び保持基板表示像１７ａは、半導体チップ１６又は保持基板１７の外形の概要を、略長方形形状で示している。ユニット枠８４は、半導体チップ１６のチップユニット１６Ａの範囲を示している。プレビュー画面７２においては、チップ表示像１６ａ、保持基板表示像１７ａ、及びユニット枠８４の形状は、入力画面９１に入力されているパラメーターの値に対応した形状になっている。例えば、チップ表示像１６ａ、保持基板表示像１７ａ、及びユニット枠８４の縦横比は、入力された縦方向寸法と横幅との比と同じになっている。チップ表示像１６ａと、保持基板表示像１７ａと、ユニット枠８４との大きさの比は、入力された半導体チップ１６の寸法値と、保持基板１７の寸法値と、チップユニット１６Ａの範囲の大きさの寸法値と、の比と同じになっている。したがって、プレビュー画面７２に表示されているチップ描画体１５の画像は、入力されているパラメーターの値に対応した形状のチップ描画体１５の縮小図又は拡大図である。
【００８１】
制限値表示画面６４には、パラメーターの値として設定可能な最大値及び最小値が表示される。当該最大値及び最小値は、入力画面９１で選択された入力ボックス９２に対応するパラメーターにおける、最大値及び最小値である。最大値及び最小値は、例えば、物理的に設定可能な値を、パラメーターごとに予め設定しておく。物理的に設定可能ではない値は、例えば、パラメーターがチップ描画体１５の保持基板１７の幅であって、液滴吐出装置１０１に載置可能な幅より大きい保持基板１７の幅の値である。物理的に設定可能ではない値は、例えば、パラメーターが半導体チップ１６の幅であって、液滴吐出装置１０１が描画可能な最小ピッチより小さい半導体チップ１６の幅の値である。
【００８２】
＜＜被描画体の設定＞＞
描画画像データを生成するために、最初に、画像データ生成装置５０のホストコンピューター５１を起動させて、例えば、新規作成を選択する。新規作成を選択することで、画面表示部５３ａに、図６（ａ）を参照して説明した設定画面６０が表示される。
以降の説明では、設定画面６０における横方向をＷ軸方向と表記し、Ｗ軸方向に対して直角な縦方向を、Ｈ軸方向と表記する。図６（ａ）などに示した補助表示画面７１において、チップ表示像１６ａ及び保持基板表示像１７ａの辺は、Ｗ軸方向又はＨ軸方向に略平行である。チップ表示像１６ａは、Ｗ軸方向に略平行な行と、Ｈ軸方向に略平行な列と、を構成する状態で整列している。チップ表示像１６ａ又は保持基板表示像１７ａにおけるＷ軸方向又はＨ軸方向に相当する方向を、半導体チップ１６又は保持基板１７においても、Ｗ軸方向又はＨ軸方向と表記する。
【００８３】
最初に、図５のステップＳ２１からステップＳ２５を実施することで、被描画体設定工程、画像処理マーク設定工程、及び描画装置ユニット設定工程を実施する。被描画体設定工程、画像処理マーク設定工程、及び描画装置ユニット設定工程を実施して、チップ描画体１５に関わるデータ、及び描画装置ユニット１００を用いてチップ描画体１５にチップ描画画像１５０Ａを描画するための諸条件を入力する。
図５のステップＳ２１では、被描画体設定工程を実施して、チップ描画体１５のレイアウト設定を実施する。レイアウト設定は、入力画面９１の入力ボックス９２に設定値を入力することで実施する。新規作成を選択することで表示される設定画面６０の入力ボックス９２には、デフォルトの値が表示されている。
【００８４】
入力画面９１において、２０個の入力ボックス９２が、１０行２列に配置されている。
上から２行の入力ボックス９２は、チップ描画体１５の全体に関わるパラメーターを入力するものである。１行目の１列目の入力ボックス９２から入力するパラメーターは、保持基板１７のＷ軸方向の幅である。１行目の２列目の入力ボックス９２から入力するパラメーターは、保持基板１７のＨ軸方向の幅である。２行目の１列目の入力ボックス９２から入力するパラメーターは、チップ描画体１５の厚さであって、保持基板１７の厚さに半導体チップ１６の厚さを加えた厚さである。２行目の２列目の入力ボックス９２から入力するパラメーターは、保持基板１７の厚さである。
【００８５】
上から３行目から６行目までの入力ボックス９２は、チップ描画体１５におけるチップユニット１６Ａの構成に関わるパラメーターを入力するものである。
３行目の入力ボックス９２から入力するパラメーターは、チップユニット１６Ａ（ユニット枠８４）の基準点位置の座標である。チップユニットの基準点は、略長方形形状を有するユニット枠８４の角のひとつ（図面で左上の角）である。座標の原点は、略長方形形状を有する保持基板１７（保持基板表示像１７ａ）の角のひとつ（図面で左上の角）である。
４行目の入力ボックス９２から入力するパラメーターは、チップユニット１６Ａ（ユニット枠８４）の列数及び行数である。チップユニットの列は、チップユニット１６Ａ（ユニット枠８４）がＨ軸方向に並んだ列である。チップユニットの行は、チップユニット１６Ａ（ユニット枠８４）がＷ軸方向に並んだ行である。
５行目の入力ボックス９２から入力するパラメーターは、チップユニット１６Ａ（ユニット枠８４）のＷ軸方向の幅、及びＨ軸方向の幅である。
６行目の入力ボックス９２から入力するパラメーターは、チップユニット１６Ａ（ユニット枠８４）のＷ軸方向の配設ピッチ（列ピッチ）、及びＨ軸方向の配設ピッチ（行ピッチ）である。
【００８６】
上から７行目から１０行目までの入力ボックス９２は、チップユニット１６Ａにおける半導体チップ１６の構成（ユニット枠８４内のチップ表示像１６ａの構成）に関わるパラメーターを入力するものである。
７行目の入力ボックス９２から入力するパラメーターは、半導体チップ１６（チップ表示像１６ａ）の基準点位置の座標である。半導体チップ１６（チップ表示像１６ａ）の基準点は、略長方形形状を有する半導体チップ１６（チップ表示像１６ａ）の角のひとつ（図面で左上の角）である。座標の原点は、略長方形形状を有するチップユニット１６Ａ（ユニット枠８４）の角のひとつ（図面で左上の角）である。
８行目の入力ボックス９２から入力するパラメーターは、チップユニット１６Ａ（ユニット枠８４）における半導体チップ１６（チップ表示像１６ａ）の列数及び行数である。半導体チップ１６（チップ表示像１６ａ）の列は、半導体チップ１６（チップ表示像１６ａ）がＨ軸方向に並んだ列である。半導体チップ１６（チップ表示像１６ａ）の行は、半導体チップ１６（チップ表示像１６ａ）がＷ軸方向に並んだ行である。
９行目の入力ボックス９２から入力するパラメーターは、半導体チップ１６（チップ表示像１６ａ）のＷ軸方向の幅、及びＨ軸方向の幅である。
１０行目の入力ボックス９２から入力するパラメーターは、半導体チップ１６（チップ表示像１６ａ）のＷ軸方向の配設ピッチ（列ピッチ）、及びＨ軸方向の配設ピッチ（行ピッチ）である。
【００８７】
図７（ａ）は、入力ボックスが選択された状態の設定画面の例を示す説明図である。図７（ａ）に示した設定画面６０では、保持基板１７のＷ軸方向の幅の値を入力するために、１行目の１列目の入力ボックス９２が選択されている。選択された入力ボックス９２は、例えばキーボードなどから数値を入力できる入力状態となっている。選択されて入力状態となった入力ボックス９２は、図７（ａ）に示した設定画面６０の例では、数値を表示する部分の背景及び数字の色を反転させており、当該入力ボックス９２が選択されていること及び入力状態であることが、判別しやすいようになっている。
パラメーター位置画面７４においては、平面表示画面７５のパラメーター表示部８２における保持基板１７のＷ軸方向の幅を示す部分が、強調表示されている。強調表示するためには、例えば、強調表示する部分の色調を変えたり、濃さを変えたり、文字や線の太さを変えたりすることで、他の部分とは異なって見えるようにする。
制限値表示画面６４には、最大値表示部６６に、保持基板１７のＷ軸方向の幅の最大値が、最小値表示部６７に最小値が表示されている。この場合の保持基板１７のＷ軸方向の幅の最大値は、例えば、液滴吐出装置１０１で描画できるワークの最大値である。
上述したように、入力ボックス９２の選択は、選択する入力ボックス９２又は当該入力ボックス９２に対応するボックス表示９３をクリックすることで実施することができる。また、パラメーター表示部８２の表示をクリックすることによっても、当該表示に対応するパラメーター（入力ボックス９２）を選択することができる。
【００８８】
図７（ｂ）は、パラメーターの入力が完了した状態の設定画面の例を示す説明図である。図７（ｂ）に示した設定画面６０は、２０個のパラメーターの入力が完了した状態の設定画面６０の例である。プレビュー画面７２には、入力されたパラメーターの値が反映された形状のチップ表示像１６ａ、保持基板表示像１７ａ、及びユニット枠８４が表示されている。
【００８９】
図５のステップＳ２１の次に、ステップＳ２２では、被描画体設定工程から画像処理マーク設定工程に移行する。図７（ｂ）に示した設定画面６０のように、被描画体設定工程を実施する状態の設定画面６０において、工程移行ボタン６２をクリックすることで、被描画体設定工程から画像処理マーク設定工程に移行する。このとき、被描画体設定工程において入力されたパラメーターの値に不整合があった場合には、警告画面が表示される。警告画面には、不適切な値であることの理由を通知するコメントが記載されており、不適切である要因を解除することで、画像処理マーク設定工程に移行できる。
【００９０】
図５のステップＳ２２の次に、ステップＳ２３では、画像処理マーク設定工程を実施する。画像処理マーク設定工程は、アライメントマーク設定工程と、表裏判別マーク設定工程と、を有している。
アライメントマーク設定工程では、アライメントマークの位置設定を実施する。図８（ａ）は、アライメントマークの位置設定を実施するための設定画面を示す説明図である。図８（ａ）に示すように、アライメントマークの位置設定を実施するための設定画面６０において、入力画面９１には、アライメントマーク選択ボックス９２ｂが形成されている。アライメントマーク選択ボックス９２ｂはチェックボックスであり、チェックを入れることで、アライメントマーク位置の設定が可能となる。図８（ａ）に示した例では、２個のアライメントマークの位置と、保持基板１７におけるアライメントマークを描画する面とが、設定可能である。保持基板１７における半導体チップ１６が載置された面が表面であり、反対側の面が裏面である。パラメーター位置画面７４には、保持基板表示像１７ａと、アライメントマーク像８６と、アライメントマーク像８６の位置を示すパラメーター表示部８２とが、表示されている。プレビュー画面７２には、２個のアライメントマーク像８６が、入力画面９１に入力された値によって定まる位置に表示されている。
アライメントマークは、加工装置に載置したチップ描画体１５のアライメントを実施する際に用いる。撮像装置によってアライメントマークを認識することで、加工装置に載置したチップ描画体１５のアライメントを実施する。
【００９１】
画像処理マーク設定工程の表裏判別マーク設定工程では、表裏判別マークの位置設定を実施する。図８（ｂ）は、表裏判別マークの位置設定を実施するための設定画面を示す説明図である。図８（ｂ）に示すように、表裏判別マークの位置設定を実施するための設定画面６０において、入力画面９１には、表裏判別マーク選択ボックス９２ｃが形成されている。表裏判別マーク選択ボックス９２ｃはチェックボックスであり、チェックを入れることで、表裏判別マーク位置の設定が可能となる。図８（ｂ）に示した例では、表裏判別マークの位置と、保持基板１７における表裏判別マークを描画する面とが、設定可能である。保持基板１７における半導体チップ１６が載置された面が表面であり、反対側の面が裏面である。パラメーター位置画面７４には、保持基板表示像１７ａと、表裏判別マーク像８７と、表裏判別マーク像８７の位置を示すパラメーター表示部８２とが、表示されている。プレビュー画面７２には、表裏判別マーク像８７が、入力画面９１に入力された値によって定まる位置に表示されている。
【００９２】
図５のステップＳ２３の次に、ステップＳ２４では、画像処理マーク設定工程から描画装置ユニット設定工程に移行する。図８に示した設定画面６０のように、画像処理マーク設定工程を実施する状態の設定画面６０において、工程移行ボタン６２をクリックすることで、画像処理マーク設定工程から描画装置ユニット設定工程に移行する。このとき、画像処理マーク設定工程において入力されたパラメーターの値に不整合があった場合には、警告画面が表示される。警告画面には、不適切な値であることの理由を通知するコメントが記載されており、不適切である要因を解除することで、描画装置ユニット設定工程に移行できる。
【００９３】
図５のステップＳ２４の次に、ステップＳ２５では、描画装置ユニット設定工程を実施する。描画装置ユニット設定工程は、描画設定工程、マガジン設定工程、及び前処理設定工程を有している。
描画装置ユニット設定工程の描画設定工程では、液滴吐出装置１０１における描画モードを設定する。
【００９４】
描画設定工程の次に、マガジン設定工程、及び前処理設定工程を実施する。図９（ａ）は、マガジンに関わるパラメーターの値を設定する際の設定画面を示す説明図である。マガジン設定工程では、図９（ａ）に示したように、マガジンに関わるパラメーターの値を設定する。図９（ａ）に示すように、マガジン設定工程を実施するための設定画面６０では、入力画面９１には、マガジン設定選択ボックス９２ｄが形成されている。マガジン設定選択ボックス９２ｄはチェックボックスであり、チェックを入れることで、マガジン設定が可能となる。上述したように、チップ描画体１５などは、所定のマガジンに装着される。チップ描画体１５などが装着されたマガジンをロード装置１０５に装填することで、チップ描画体１５などが、描画装置ユニット１００に供給される。マガジン設定工程では、生成しているチップ描画画像１５０Ａを描画する際に用いるマガジンに関わるパラメーターの値を設定する。
【００９５】
マガジン設定工程の次に、描画装置ユニット設定工程の前処理設定工程を実施する。図９（ｂ）は、前処理設定工程を実施するための設定画面を示す説明図である。図９（ｂ）に示すように、前処理設定工程を実施するための設定画面６０では、入力画面９１には、前処理設定選択ボックス９２ｅが形成されている。前処理設定選択ボックス９２ｅはチェックボックスであり、チェックを入れることで、前処理設定が可能となる。上述したように、前処理装置１０３は、チップ描画体１５などを、液滴吐出装置１０１によって描画するために好適な状態にするための前処理を実施する。前処理設定工程では、当該前処理の諸条件に関わるパラメーターの値を入力する。
【００９６】
＜＜チップ画像の割付＞＞
図５のステップＳ２５の次に、ステップＳ２６では、チップ画像割付工程に移行する。図９に示した完了ボタン６３をクリックすることによって、図１０（ａ）に示すように、チップ画像割付工程を実施するための画像割付画面６００が表示される。図１０（ａ）は、画像割付画面を示す説明図である。
完了ボタン６３がクリックされた場合には、それまでに入力された各パラメーターの値に不整合がないかが検証される。不整合があった場合には、警告画面が表示され、不整合の是正が促される。不整合がない場合には、完了ボタン６３がクリックされたことによって、入力された各パラメーターの値が確定される。警告画面が表示された場合には、不整合を是正することで、チップ画像割付工程に移行できる。
【００９７】
＜＜画像割付画面＞＞
図１０（ａ）に示すように、画像割付画面６００は、描画体表示画面７００と、チップ画像表示画面７４０と、を備えている。
描画体表示画面７００は、レイアウト表示画面７２０と、描画体全体画面７２１とを備えている。レイアウト表示画面７２０及び描画体全体画面７２１は、チップ表示像１６ａと、保持基板表示像１７ａと、ユニット枠８４と、を有している。描画体表示画面７００は、チップ表示像１６ａと、保持基板表示像１７ａと、ユニット枠８４と、を図面のような２次元形状として表示する画面である。
上述したように、チップ表示像１６ａ及び保持基板表示像１７ａは、半導体チップ１６又は保持基板１７の外形の概要を、略長方形形状で示している。ユニット枠８４は、半導体チップ１６のチップユニット１６Ａの範囲を示している。上述したプレビュー画面７２と同様に、描画体表示画面７００においては、チップ表示像１６ａ、保持基板表示像１７ａ、及びユニット枠８４の形状は、レイアウト設定工程において入力されたパラメーターの値に対応した形状になっている。したがって、描画体表示画面７００に表示されているチップ描画体１５の画像は、入力されているパラメーターの値に対応した形状のチップ描画体１５の縮小図又は拡大図である。
画面表示部５３ａにおけるレイアウト表示画面７２０が表示されている部分が、レイアウト表示画面部に相当する。画面表示部５３ａにおけるチップ画像表示画面７４０が表示されている部分が、媒体画像画面部に相当する。
【００９８】
レイアウト表示画面７２０は、作業用の画面である。レイアウト表示画面７２０を用いて、チップ画像１５０の配置や調整などを実施する。レイアウト表示画面７２０においては、チップ表示像１６ａの大きさが、チップ画像１５０の配置や調整などを実施する際に扱い易い大きさとなるように、チップ描画体１５の一部分が表示されている。
描画体全体画面７２１は、チップ描画体１５の全体を表示する画面である。描画体全体画面７２１においては、チップ描画体１５の全体が表示できるような大きさの、チップ表示像１６ａ、保持基板表示像１７ａ、及びユニット枠８４が表示されている。描画体全体画面７２１には、プレビュー表示７２２が表示されている。プレビュー表示７２２は、チップ描画体１５における、レイアウト表示画面７２０に表示されている範囲を示している。レイアウト表示画面７２０に表示される範囲は、レイアウト表示画面７２０に含まれるスクロールバーを用いて、調整することができる。画面表示部５３ａにおける描画体全体画面７２１が表示されている部分が、全体表示画面部に相当する。
【００９９】
チップ画像表示画面７４０は、チップ画像１５０の画面上の像であるチップ画像像１５０ａを表示する部分である。後述するチップ画像配置工程においては、チップ画像表示画面７４０に表示されたチップ画像像１５０ａを選択して、レイアウト表示画面７２０に表示されたチップ表示像１６ａの上に配置する。
【０１００】
＜＜チップ画像の割付＞＞
図５のステップＳ２６の次に、ステップＳ２７では、チップ画像割付工程のチップ画像取得工程を実施する。図１０（ｂ）は、チップ画像割付工程における画像割付画面を示す説明図である。画像データ生成装置５０を操作する操作者によって、チップ画像１５０の取得が指示されることに対応して、チップ画像１５０の取得を実施する。図１０（ｂ）に示した画像割付画面６００では、プルダウンメニューが選択されて、プルダウンメニュー表示７５０が表示されている。プルダウンメニューの「チップ画像挿入」が選択されることで、画像データ生成装置５０の記憶装置５１ｂに予め入力されているチップ画像１５０のファイルから、チップ画像１５０が画像割付画面６００のチップ画像表示画面７４０に挿入される。チップ画像表示画面７４０に挿入されたチップ画像１５０をチップ画像像１５０ａと表記する。図１１は、チップ画像像が挿入された画像割付画面を示す説明図である。図１１（ａ）は、１個のチップ画像像が挿入された画像割付画面を示す説明図であり、図１１（ｂ）は、２個のチップ画像像が挿入された画像割付画面を示す説明図である。記憶装置５１ｂに、チップ画像１５０の複数のファイルが予め入力されている場合には、選択されたチップ画像１５０のファイルから、図１１（ａ）に示したように、チップ画像像１５０ａが画像割付画面６００のチップ画像表示画面７４０に挿入される。「チップ画像挿入」の操作が繰り返されることで、図１１（ｂ）に示したように、複数のチップ画像１５０のチップ画像像１５０ａが、チップ画像表示画面７４０に挿入される。
【０１０１】
図５のステップＳ２７の次に、ステップＳ２８では、チップ画像割付工程のチップ画像配置工程を実施する。チップ画像配置工程は、画像データ生成装置５０を操作する操作者によって、チップ画像表示画面７４０に表示されたチップ画像像１５０ａが選択され、レイアウト表示画面７２０に表示されたチップ表示像１６ａが選択され、「チップ画像配置」指令が選択されることによって実施される。チップ画像像１５０ａの選択は、チップ画像表示画面７４０に表示されたチップ画像像１５０ａの中の所望のチップ画像像１５０ａが操作者によってクリックされることで実施される。チップ表示像１６ａの選択は、例えば、レイアウト表示画面７２０に表示されたチップ表示像１６ａの中の所望のチップ表示像１６ａが操作者によってクリックされることで実施される。「チップ画像配置」指令の選択は、例えば、図１０（ｂ）を参照して説明したプルダウンメニュー表示７５０に表示されたプルダウンメニューの中の「チップ画像配置」が操作者によってクリックされることで実施される。チップ画像配置工程が実施されて、チップ表示像１６ａに対してチップ画像像１５０ａが割り付けられる。プルダウンメニュー表示７５０に表示された「チップ画像配置」が、割付指示入力部に相当する。
【０１０２】
図１２（ａ）は、１個のチップ画像像が割り付けられた状態を示す説明図である。図１２（ａ）に示したチップ画像像１５０ｂのチップ画像１５０が、チップ表示像１６ｂに配置され割り付けられている。当該工程は、上述したように、操作者によって、チップ画像像１５０ａが選択され、チップ表示像１６ａが選択され、「チップ画像配置」指令が選択されることによって実施される。
チップ画像像１５０ａ及びチップ表示像１６ａの選択と、「チップ画像配置」指令の選択は、チップ画像像１５０ｂをドラッグし、チップ表示像１６ｂにドロップすることでも実行できる。この場合、チップ画像像１５０ｂがドラッグされることで、チップ画像像１５０ｂを選択している。チップ表示像１６ｂにドロップされることで、チップ表示像１６ｂを選択すると共に、選択したチップ表示像１６ｂにチップ画像像１５０ｂを割り付けている。
また、チップ画像像１５０ａ及びチップ表示像１６ａの選択と、「チップ画像配置」指令の選択は、チップ表示像１６ａを選択し、チップ画像像１５０ｂをドラッグし、レイアウト表示画面７２０にドロップすることでも実行できる。この場合、チップ画像像１５０ｂがドラッグされることで、チップ画像像１５０ｂを選択している。レイアウト表示画面７２０にドロップされることで、選択されているチップ表示像１６ｂにチップ画像像１５０ｂを割り付けている。
【０１０３】
＜＜チップ表示像の選択方法＞＞
次に、チップ表示像１６ａを選択するために、画像データ生成装置５０を操作する操作者がチップ表示像１６ａを指定する方法を説明する。
図１２（ｂ）は、１個のチップ表示像が選択された状態を示す説明図である。上述したように、レイアウト表示画面７２０に表示された複数のチップ表示像１６ａの中の所望のチップ表示像１６ａをクリックすることで、図１２（ｂ）に示したように、１個のチップ表示像１６ａ（チップ表示像１６ｃ）を選択させることができる。
【０１０４】
図１３（ａ）は、複数のチップ表示像が選択された状態を示す説明図である。複数選択を指定し、レイアウト表示画面７２０に表示された複数のチップ表示像１６ａの中の所望のチップ表示像１６ａをクリックすることで、図１３（ａ）に示したように、クリックしたチップ表示像１６ｄ（チップ表示像１６ａ）を選択させることができる。複数選択の指定は、例えばＣＴＲＬキーなどを押すことによって実施する。この場合のＣＴＲＬキーが、複数選択指示入力部に相当する。
【０１０５】
図１３（ｂ）は、一列に並ぶ複数のチップ表示像が選択された状態を示す説明図である。図１４（ａ）は、長方形形状に並ぶチップ表示像及び長方形形状に並ぶチップ表示像に囲まれたチップ表示像が選択された状態を示す説明図である。群選択を指定し、レイアウト表示画面７２０に表示された複数のチップ表示像１６ａの中の、２個のチップ表示像１６ｅ（チップ表示像１６ａ）をクリックすることで、図１３（ｂ）又は図１４（ａ）に示したように、クリックした２個のチップ表示像１６ｅ及び当該２個のチップ表示像１６ｅで指定される群に含まれるチップ表示像１６ｆ（チップ表示像１６ａ）を選択させることができる。
【０１０６】
Ｗ軸方向に延在する同一の行に位置する２個のチップ表示像１６ｅを選択することで、図１３（ｂ）に示したように、一列に並ぶ、２個のチップ表示像１６ｅ及び２個のチップ表示像１６ｅに挟まれた５個のチップ表示像１６ｆを選択させることができる。同様に、Ｈ軸方向に延在する同一の列に位置する２個のチップ表示像１６ｅを選択することで、一列に並ぶ、２個のチップ表示像１６ｅ及び２個のチップ表示像１６ｅに挟まれた複数のチップ表示像１６ｆを選択させることができる。
同一の行又は列に位置しない２個のチップ表示像１６ｅを選択することで、図１４（ａ）に示したように、長方形形状に並ぶチップ表示像１６ａの群に含まれる複数のチップ表示像１６ａを選択させることができる。長方形形状に並ぶチップ表示像１６ａの群は、２個のチップ表示像１６ｅを対角にする長方形を形成する２個のチップ表示像１６ｅ及び１０個のチップ表示像１６ｆと、長方形を形成するチップ表示像１６ａに囲まれた４個のチップ表示像１６ｆと、からなるチップ表示像１６ａの群である。
群選択の指定は、例えばＳＨＩＦＴキーなどを押すことによって実施する。この場合のＳＨＩＦＴキーが、群選択指示入力部に相当する。
【０１０７】
図１４（ｂ）は、描画体全体画面に表示された全てのチップ表示像が選択された状態を示す説明図である。描画体全体画面７２１に表示された全てのチップ表示像１６ａは、チップ描画体１５が有する全ての半導体チップ１６に対応する。プルダウンメニュー表示７５０に表示されたプルダウンメニューの「全選択」を選択することで、チップ描画体１５が有する全ての半導体チップ１６に対応する全てのチップ表示像１６ａを選択させることができる。プルダウンメニュー表示７５０に表示された「全選択」が、全選択指示入力部に相当する。
【０１０８】
図１５は、レイアウト表示画面の領域を指定して、領域に含まれるチップ表示像を選択する場合を示す説明図である。図１５（ａ）は、領域を指定する際のレイアウト表示画面を示す説明図であり、図１５（ｂ）は、図１５（ａ）のように領域を指定してチップ表示像が選択された状態を示す説明図である。
プルダウンメニュー表示７５０に表示されたプルダウンメニューの「範囲選択」を選択し、レイアウト表示画面７２０においてドラッグアンドドロップすることで、レイアウト表示画面７２０上の２点が指定され、図１５（ａ）に示すように、当該２点を対角の頂点とする領域指示枠８９が表示される。図１５（ｂ）に示すように、領域指示枠８９によって規定される範囲に含まれるチップ表示像１６ｇ（チップ表示像１６ａ）を選択させることができる。図１５に示した例では、領域指示枠８９によって規定される範囲に含まれるチップ表示像１６ｇは、チップ表示像１６ａの全体が領域指示枠８９に含まれるチップ表示像１６ａである。領域指示枠８９に重なっているチップ表示像１６ｈ（チップ表示像１６ａ）は、チップ表示像１６ａの一部のみが領域指示枠８９に含まれるため、選択されない。プルダウンメニュー表示７５０に表示された「範囲選択」が、領域選択指示入力部に相当する。
【０１０９】
＜＜チップ画像の割付（配置）＞＞
チップ画像像１５０ａが選択され、チップ表示像１６ａが選択され、「チップ画像配置」指令が選択されることによって、選択されたチップ表示像１６ａの位置に、選択されたチップ画像像１５０ａの割付が実施される。図１６は、選択されたチップ表示像の位置に、選択されたチップ画像像の割付（配置）が実施された場合を示す説明図である。
図１６（ａ）に示したレイアウト表示画面７２０では、図１４（ａ）を参照して説明した、２個のチップ表示像１６ｅ及び１４個のチップ表示像１６ｆからなるチップ表示像１６ａの群に、チップ画像像１５０ａが割り付けられている。
図１６（ｂ）に示したレイアウト表示画面７２０では、図１５を参照して説明した、２４個のチップ表示像１６ｇに、チップ画像像１５０ａが割り付けられている。
【０１１０】
チップ画像像１５０ａが選択され、チップ表示像１６ａが選択され、「チップ画像配置」指令が選択されたときに、選択されたチップ画像像１５０ａに対応するチップ画像１５０の大きさと、選択されたチップ表示像１６ａに対応する半導体チップ１６の大きさと、が比較される。チップ画像１５０の大きさが、半導体チップ１６の大きさより大きい場合、割付は停止され、実施されない。画像割付画面６００には、警告画面６８が表示される。図１７は、警告画面が表示された画像割付画面を示す説明図である。図１５を参照して説明した、２４個のチップ表示像１６ｇに、チップ画像像１５０ａの割付が指令された際に、警告画面６８が表示された場合の画像割付画面６００を示している。警告画面６８には、不適切な値であることの理由を通知するコメントが記載されている。不適切である要因を解除することで、チップ画像像１５０ａの割付が実行可能となる。この場合、コメントは、例えば、「チップ画像が、半導体チップより大きいため、割付できません。」などが表示される。例えば、半導体チップ１６に印刷可能な大きさのチップ画像１５０を選択しなおすことで、チップ画像像１５０ａの割付が実行可能となる。
警告画面６８が、警告表示に相当する。チップ画像１５０の大きさと半導体チップ１６の大きさとを比較判定し、警告画面６８の表示を指令する演算装置５１ａが、形状判定手段に相当する。
【０１１１】
図１８は、全てのチップ表示像にチップ画像像が割り付けられた状態の画像割付画面を示す説明図である。図１８（ａ）は、２種類のチップ画像像が割り付けられた状態の画像割付画面を示す説明図であり、図１８（ｂ）は、１種類のチップ画像像が割り付けられた状態の画像割付画面を示す説明図である。図１８（ａ）に示した画像割付画面６００では、１５個のチップ表示像１６ａに、１種類のチップ画像像１５０ｃ（チップ画像像１５０ａ）が割り付けられており、他の７５個のチップ表示像１６ａには、他の１種類のチップ画像像１５０ｂ（チップ画像像１５０ａ）が割り付けられている。図１８（ｂ）に示した画像割付画面６００では、全てのチップ表示像１６ａに、１種類のチップ画像像１５０ｂ（チップ画像像１５０ａ）が割り付けられている。
【０１１２】
図５のステップＳ２８の次に、ステップＳ２９では、割り付けられたチップ画像の調整を実施する。チップ画像の調整は、必要に応じて実施する工程である。ステップＳ２８までの各工程を実施して、チップ描画画像１５０Ａが完成している場合には、チップ画像の調整は、省略される。
【０１１３】
チップ画像の調整のひとつが、割り付けられたチップ画像像１５０ａの消去である。図１９は、割り付けられたチップ画像像を消去する場合を示す説明図である。図１９（ａ）は、チップ画像像を消去するチップ表示像を選択した状態を示す説明図であり、図１９（ｂ）は、選択されたチップ表示像のチップ画像像が消去された状態を示す説明図である。
チップ画像像１５０ａを消去するチップ表示像１６ａを選択し、画像データ生成装置５０を操作する操作者によって、チップ画像像１５０ａの消去が指示されることに対応して、チップ画像像１５０ａの消去を実施する。画像データ生成装置５０を操作する操作者は、上述した、チップ画像像１５０ａの割付の際のチップ表示像１６ａの選択の場合と同様にして、チップ画像像１５０ａを消去するチップ表示像１６ａを指示して選択させることができる。図１９（ａ）に示した例では、図１８（ｂ）を参照して説明した画像割付画面６００において、１０個のチップ表示像１６ａ（チップ画像像１５０ｂ）が選択されている。チップ画像像１５０ａ（チップ画像像１５０ｂ）の消去の指示は、プルダウンメニューの「割付解除」が選択されることによって実施される。「割付解除」が選択されることによって、図１９（ｂ）に示したように、選択されていたチップ表示像１６ａのチップ画像像１５０ａ（チップ画像像１５０ｂ）が消去される。プルダウンメニュー表示７５０に表示された「割付解除」が、消去指示入力部に相当する。
【０１１４】
チップ画像の調整のひとつが、割り付けられたチップ画像像１５０ａの方向の修正である。チップ画像像１５０ａの方向の修正は、チップ画像像１５０ａの方向を変えることで実施する。図２０は、割り付けられたチップ画像像の方向を変える場合を示す説明図である。図２０（ａ）は、チップ画像像の方向を変えるチップ表示像を選択した状態を示す説明図であり、図２０（ｂ）は、選択されたチップ表示像のチップ画像像が方向を変えられた状態を示す説明図である。
チップ画像像１５０ａの方向を変えるチップ表示像１６ａを選択し、画像データ生成装置５０を操作する操作者によって、チップ画像像１５０ａの回転が指示されることに対応して、チップ画像像１５０ａの回転（方向転換）を実施する。画像データ生成装置５０を操作する操作者は、上述した、チップ画像像１５０ａの割付の際のチップ表示像１６ａの選択の場合と同様にして、チップ画像像１５０ａの方向を変えるチップ表示像１６ａを指示して選択させることができる。図２０（ａ）に示した例では、図１８（ｂ）を参照して説明した画像割付画面６００において、１５個のチップ表示像１６ａ（チップ画像像１５０ｂ）が選択されている。チップ画像像１５０ａ（チップ画像像１５０ｂ）の回転の指示は、プルダウンメニューの「右９０度回転」などが選択されることによって実施される。「右９０度回転」が選択されることによって、図２０（ｂ）に示したように、選択されていたチップ表示像１６ａのチップ画像像１５０ａ（チップ画像像１５０ｂ）が、時計回りに９０度回転されて、方向が変えられる。回転の指示は、「右９０度回転」の他に、「左９０度回転」や「１８０度回転」などが選択可能である。回転角度は、他の角度であってもよいし、画像データ生成装置５０を操作する操作者が角度を指定できるようにしてもよい。プルダウンメニュー表示７５０に表示された「右９０度回転」などが、回転指示入力部に相当する。
【０１１５】
チップ画像像１５０ａが割り付けられたチップ表示像１６ａが選択され、例えば「右９０度回転」指令が選択されたときに、指令に従って回転させられた状態のチップ画像像１５０ａに対応するチップ画像１５０の大きさと、選択されているチップ表示像１６ａに対応する半導体チップ１６の大きさと、が比較される。回転させられた状態のチップ画像１５０の少なくとも一部が、半導体チップ１６の範囲から外れる場合、回転は停止され、実施されない。画像割付画面６００には、警告画面６８が表示される。警告画面６８は、図１７を参照して説明した、割り付けようとしたチップ画像１５０が、半導体チップ１６より大きいため、割付できない場合と同様の警告画面６８である。
図１７を参照して説明した警告画面６８と同様に、警告画面６８には、不適切な状態になることの理由を通知するコメントが記載されており、不適切である要因を解除することで、チップ画像像１５０ａの割付が実行可能となる。この場合、コメントは、例えば、「チップ画像を回転すると、半導体チップより大きいため、回転できません。」などが表示される。例えば、回転しても半導体チップ１６に印刷可能な大きさのチップ画像１５０を選択しなおすことで、チップ画像像１５０ａの回転が実行可能となる。
警告画面６８が、警告表示に相当する。回転させた状態のチップ画像１５０の大きさと半導体チップ１６の大きさとを比較判定し、警告画面６８の表示を指令する演算装置５１ａが、回転形状判定手段に相当する。
【０１１６】
チップ画像の調整のひとつが、割り付けられたチップ画像像１５０ａのコピーや移動である。図２１は、割り付けられたチップ画像像をコピーする場合を示す説明図である。図２１（ａ）は、コピーする基のチップ画像像が割り付けられたチップ表示像を選択した状態を示す説明図であり、図２１（ｂ）は、チップ画像像がコピーされた状態を示す説明図である。
コピーする基のチップ画像像１５０ａが割り付けられたチップ表示像１６ａを選択し、画像データ生成装置５０を操作する操作者によって、コピー先のチップ表示像１６ａの選択及びチップ画像像１５０ａのコピーが指示されることに対応して、チップ画像像１５０ａのコピーを実施する。画像データ生成装置５０を操作する操作者がコピーする基のチップ画像像１５０ａが割り付けられたチップ表示像１６ａをドラッグすることに応じて、コピーする基のチップ画像像１５０ａが割り付けられたチップ表示像１６ａを選択する。図２１（ａ）では、チップ表示像１６ｋ（チップ表示像１６ａ）が選択されている。チップ表示像１６ｋに割り付けられたチップ画像像１５０ａを、チップ画像像１５０ｋと表記する。ドラッグに続けて、いずれかのチップ表示像１６ａにドロップされることに応じて、当該チップ表示像１６ａをコピー先のチップ表示像１６ａとして選択するとともに、コピーする基のチップ画像像１５０ａとして選択されたチップ画像像１５０ａ（チップ画像像１５０ｋ）を割り付ける。図２１（ｂ）では、チップ表示像１６ｍ（チップ表示像１６ａ）に、チップ表示像１６ｋ（チップ表示像１６ａ）に割り付けられているチップ画像像１５０ｋが割り付けられている。
【０１１７】
コピーする基のチップ画像像１５０ｋは、図２１（ｂ）に示したように、元のまま残しても良いし、消去してもよい。すなわちチップ画像像１５０ａのコピーではなく、チップ画像像１５０ａの移動を実施することもできる。
コピー先のチップ表示像１６ａは、図２１（ａ）に示したチップ表示像１６ｍのように、すでにチップ画像像１５０ａが割り付けられていてもよいし、チップ画像像１５０ａが割り付けられていないチップ表示像１６ａであってもよい。
【０１１８】
次に、チップ画像表示画面７４０に表示されたチップ画像像１５０ａの中で、選択されているチップ画像像１５０ａ（チップ画像１５０）を表示する機能について説明する。図２２は、選択されているチップ画像を表示する際の画像割付画面を示す説明図である。図２２（ａ）は、選択されているチップ画像を表示する指令を入力する際の画像割付画面を示す説明図であり、図２２（ｂ）は、選択されているチップ画像を表示する選択画像表示画面が表示された状態を示す説明図である。
図２２（ａ）に示した画像割付画面６００では、プルダウンメニューが選択されて、プルダウンメニュー表示７５０が表示されている。画像データ生成装置５０を操作する操作者によってプルダウンメニューの「選択画像表示」が選択されることで、図２２（ｂ）に示したように、選択画像表示画面１５５を表示する。選択画像表示画面１５５には、選択されているチップ画像像１５０ａ（チップ画像１５０）が表示されている。
プルダウンメニュー表示７５０に表示された「選択画像表示」を示す部分が、選択画像表示指示入力部に相当する。
【０１１９】
図５のステップＳ２９の次に、ステップＳ３０では、描画画像データを出力する。描画画像データは電子データであり、画像データ生成装置５０の入出力装置５２から出力する。図２３は、生成された描画画像データの例を示す説明図である。図２３に一部を示した描画画像データが電子データとして出力される。
ステップＳ３０を実施して、描画画像データを生成する工程を終了する。
描画画像データの電子データは、描画装置ユニット１００の描画ユニット制御装置１０７に入力される。描画ユニット制御装置１０７は、入力された描画画像データにしたがって、図１８に示したような、チップ画像の描画を実施する。
【０１２０】
以下、実施形態による効果を記載する。本実施形態によれば、以下の効果が得られる。
（１）レイアウト表示画面７２０は、チップ表示像１６ａと、保持基板表示像１７ａと、ユニット枠８４と、を図面のような２次元形状として表示する画面である。チップ画像配置工程においては、チップ画像表示画面７４０に表示されたチップ画像像１５０ａを選択して、レイアウト表示画面７２０に表示されたチップ表示像１６ａの上に配置する。この構成により、画像データ生成装置５０を操作してチップ描画画像１５０Ａの描画画像データを生成する操作者などが、半導体チップ１６の形状やチップ描画体１５における半導体チップ１６の位置を二次元形状として視認することで、認識し易くすることができる。チップ画像像１５０ａを、二次元形状として視認できるチップ表示像１６ａに重ねて割り付けることによって配置することで、チップ画像像１５０ａを配置する位置を認識し易くすることができる。
【０１２１】
（２）チップ画像割付工程のチップ画像配置工程は、画像データ生成装置５０を操作する操作者によって、チップ画像表示画面７４０に表示されたチップ画像像１５０ａが選択され、レイアウト表示画面７２０に表示されたチップ表示像１６ａが選択され、「チップ画像配置」指令が選択されることによって実施される。「チップ画像配置」指令が選択されることによって、チップ表示像１６ａにチップ画像像１５０ａが割り付けられる。これにより、画像データ生成装置５０を操作してチップ描画画像１５０Ａの描画画像データを生成する操作者などは、割付の時点を任意に決定することができる。例えば、選択したチップ画像像１５０ａ（チップ画像１５０）及びチップ表示像１６ａ（半導体チップ１６）を確認する時間を任意にとることができる。
【０１２２】
（３）チップ画像像１５０ａ及びチップ表示像１６ａの選択と、「チップ画像配置」指令の選択は、チップ画像像１５０ａをドラッグし、チップ表示像１６ａにドロップすることでも実行できる。これにより、画像データ生成装置５０を操作してチップ描画画像１５０Ａの描画画像データを生成する操作者などは、チップ画像像１５０ａをドラッグし、チップ表示像１６ａにドロップするという簡単な操作で、任意のチップ表示像１６ａ（半導体チップ１６）に、任意のチップ画像像１５０ａ（チップ画像１５０）を割り付けることができる。
【０１２３】
（４）チップ画像像１５０ａ及びチップ表示像１６ａの選択と、「チップ画像配置」指令の選択は、レイアウト表示画面７２０のチップ表示像１６ａを選択し、チップ画像像１５０ａをドラッグし、レイアウト表示画面７２０にドロップすることでも実行できる。これにより、画像データ生成装置５０を操作してチップ描画画像１５０Ａの描画画像データを生成する操作者などは、チップ画像像１５０ａをドラッグし、レイアウト表示画面７２０にドロップするという簡単な操作で、任意のチップ表示像１６ａ（半導体チップ１６）に、任意のチップ画像像１５０ａ（チップ画像１５０）を割り付けることができる。
【０１２４】
（５）プルダウンメニューの「全選択」を選択することで、描画体全体画面７２１に表示された全てのチップ表示像１６ａを選択させることができる。これにより、画像データ生成装置５０を操作してチップ描画画像１５０Ａの描画画像データを生成する操作者などは、「全選択」を選択するという簡単な操作で、チップ描画体１５に含まれる全てのチップ表示像１６ａ（半導体チップ１６）を選択させることができる。
【０１２５】
（６）レイアウト表示画面７２０に表示された複数のチップ表示像１６ａの中の所望のチップ表示像１６ａをクリックすることで、１個のチップ表示像１６ａを選択させることができる。これにより、画像データ生成装置５０を操作してチップ描画画像１５０Ａの描画画像データを生成する操作者などは、チップ表示像１６ａをクリックするという簡単な操作で、任意のチップ表示像１６ａ（半導体チップ１６）を選択させることができる。
【０１２６】
（７）複数選択を指定し、レイアウト表示画面７２０に表示された複数のチップ表示像１６ａの中の所望のチップ表示像１６ａをクリックすることで、クリックしたチップ表示像１６ａを選択させることができる。これにより、画像データ生成装置５０を操作してチップ描画画像１５０Ａの描画画像データを生成する操作者などは、複数選択を指定しチップ表示像１６ａをクリックするという簡単な操作で、任意の複数のチップ表示像１６ａ（半導体チップ１６）を選択させることができる。
【０１２７】
（８）群選択を指定し、Ｗ軸方向又はＨ軸方向に延在する同一の行に位置する２個のチップ表示像１６ｅを選択することで、Ｗ軸方向又はＨ軸方向に一列に並ぶ、２個のチップ表示像１６ｅ及び２個のチップ表示像１６ｅに挟まれたチップ表示像１６ｆを選択させることができる。これにより、画像データ生成装置５０を操作してチップ描画画像１５０Ａの描画画像データを生成する操作者などは、群選択を指定し、２個のチップ表示像１６ａをクリックするという簡単な操作で、Ｗ軸方向又はＨ軸方向に一列に並ぶ任意の複数のチップ表示像１６ａ（半導体チップ１６）を選択させることができる。
【０１２８】
（９）群選択を指定し、同一の行又は列に位置しない２個のチップ表示像１６ｅを選択することで、長方形形状に並ぶチップ表示像１６ａの群に含まれる複数のチップ表示像１６ａを選択させることができる。これにより、画像データ生成装置５０を操作してチップ描画画像１５０Ａの描画画像データを生成する操作者などは、群選択を指定し、２個のチップ表示像１６ａをクリックするという簡単な操作で、任意の長方形形状に並ぶチップ表示像１６ａの群に含まれる複数のチップ表示像１６ａ（半導体チップ１６）を選択させることができる。
【０１２９】
（１０）「範囲選択」を選択し、レイアウト表示画面７２０においてドラッグアンドドロップすることで、レイアウト表示画面７２０上の２点が指定され、当該２点を対角の頂点とする領域指示枠８９が表示され、領域指示枠８９によって規定される範囲に含まれるチップ表示像１６ａを選択させることができる。これにより、画像データ生成装置５０を操作してチップ描画画像１５０Ａの描画画像データを生成する操作者などは、「範囲選択」を指定し、レイアウト表示画面７２０においてドラッグアンドドロップするという簡単な操作で、任意の指定領域に含まれる複数のチップ表示像１６ａ（半導体チップ１６）を選択させることができる。
【０１３０】
（１１）チップ画像像１５０ａが選択され、チップ表示像１６ａが選択され、「チップ画像配置」指令が選択されたときに、選択されたチップ画像像１５０ａに対応するチップ画像１５０の大きさと、選択されたチップ表示像１６ａに対応する半導体チップ１６の大きさと、が比較される。チップ画像１５０の大きさが、半導体チップ１６の大きさより大きい場合、割付は停止され、実施されない。これにより、半導体チップ１６の大きさより大きいチップ画像１５０が割り付けられることに起因して、半導体チップ１６に印刷できないチップ描画画像１５０Ａが形成されることを、実質的になくすることができる。
【０１３１】
（１２）チップ画像像１５０ａが選択され、チップ表示像１６ａが選択され、「チップ画像配置」指令が選択されたときに、選択されたチップ画像像１５０ａに対応するチップ画像１５０の大きさと、選択されたチップ表示像１６ａに対応する半導体チップ１６の大きさと、が比較される。チップ画像１５０の大きさが、半導体チップ１６の大きさより大きい場合、画像割付画面６００には、警告画面６８が表示される。これにより、半導体チップ１６の大きさより大きいチップ画像１５０が割り付けられようとしていることを、画像データ生成装置５０を操作してチップ描画画像１５０Ａの描画画像データを生成する操作者などに、認識され易くすることができる。
【０１３２】
（１３）チップ画像像１５０ａの割付が指令された際に、警告画面６８が表示された場合、警告画面６８には、不適切な値であることの理由を通知するコメントが記載されている。これにより、不適切な値である原因を避けて適切な値を選択することを容易にすることができる。
【０１３３】
（１４）チップ画像像１５０ａの方向を変えるチップ表示像１６ａを選択し、画像データ生成装置５０を操作する操作者によってプルダウンメニューの「右９０度回転」などがクリックされることで、チップ画像像１５０ａの回転が指示されることに対応して、チップ画像像１５０ａの回転（方向転換）を実施する。これにより、画像データ生成装置５０を操作してチップ描画画像１５０Ａの描画画像データを生成する操作者などは、チップ表示像１６ａを選択し、プルダウンメニューの「右９０度回転」などをクリックするという簡単な操作で、チップ画像像１５０ａの回転（方向転換）を実施させることができる。
【０１３４】
（１５）チップ画像像１５０ａが割り付けられたチップ表示像１６ａが選択され、例えば「右９０度回転」指令が選択されたときに、指令に従って回転させられた状態のチップ画像像１５０ａに対応するチップ画像１５０の大きさと、選択されているチップ表示像１６ａに対応する半導体チップ１６の大きさと、が比較される。回転させられた状態のチップ画像１５０の少なくとも一部が、半導体チップ１６の範囲から外れる場合、回転は停止され、実施されない。これにより、半導体チップ１６の範囲から外れるチップ画像１５０が割り付けられることに起因して、半導体チップ１６に印刷できないチップ描画画像１５０Ａが形成されることを、実質的になくすることができる。
【０１３５】
（１６）チップ画像像１５０ａが割り付けられたチップ表示像１６ａが選択され、例えば「右９０度回転」指令が選択されたときに、指令に従って回転させられた状態のチップ画像像１５０ａに対応するチップ画像１５０の大きさと、選択されているチップ表示像１６ａに対応する半導体チップ１６の大きさと、が比較される。回転させられた状態のチップ画像１５０の少なくとも一部が、半導体チップ１６の範囲から外れる場合、画像割付画面６００には、警告画面６８が表示される。これにより、チップ画像１５０の回転（方向転換）を実施すると、チップ画像１５０の少なくとも一部が、半導体チップ１６の範囲から外れることを、画像データ生成装置５０を操作してチップ描画画像１５０Ａの描画画像データを生成する操作者などに、認識され易くすることができる。
【０１３６】
（１７）チップ画像像１５０ａの回転（方向転換）が指令された際に、警告画面６８が表示された場合、警告画面６８には、不適切な状態になることの理由を通知するコメントが記載されている。これにより、不適切な状態になる原因を避けて適切なチップ画像１５０を選択することを容易にすることができる。
【０１３７】
（１８）チップ表示像１６ａが選択され、プルダウンメニューの「割付解除」が選択されることによって、選択されていたチップ表示像１６ａのチップ画像像１５０ａが消去される。これにより、画像データ生成装置５０を操作してチップ描画画像１５０Ａの描画画像データを生成する操作者などは、チップ表示像１６ａを選択し、プルダウンメニューの「割付解除」をクリックするという簡単な操作で、チップ画像像１５０ａの消去を実施させることができる。
【０１３８】
（１９）画像データ生成装置５０を操作する操作者がコピーする基のチップ画像像１５０ａが割り付けられたチップ表示像１６ａをドラッグすることに応じて、コピーする基のチップ画像像１５０ａが割り付けられたチップ表示像１６ａを選択する。ドラッグに続けて、いずれかのチップ表示像１６ａにドロップされることに応じて、当該チップ表示像１６ａをコピー先のチップ表示像１６ａとして選択するとともに、コピーする基のチップ画像像１５０ａとして選択されたチップ画像像１５０ａ（チップ画像像１５０ｋ）を割り付ける。これにより、画像データ生成装置５０を操作してチップ描画画像１５０Ａの描画画像データを生成する操作者などは、基のチップ画像像１５０ａが割り付けられたチップ表示像１６ａをドラッグし、コピー先のチップ表示像１６ａにドロップするという簡単な操作で、チップ画像像１５０ａのコピーを実施させることができる。
【０１３９】
（２０）画像データ生成装置５０を操作する操作者がコピーする基のチップ画像像１５０ａが割り付けられたチップ表示像１６ａをドラッグすることに応じて、コピーする基のチップ画像像１５０ａが割り付けられたチップ表示像１６ａを選択する。ドラッグに続けて、いずれかのチップ表示像１６ａにドロップされることに応じて、当該チップ表示像１６ａをコピー先のチップ表示像１６ａとして選択するとともに、コピーする基のチップ画像像１５０ａとして選択されたチップ画像像１５０ａ（チップ画像像１５０ｋ）を割り付ける。このとき、基のチップ画像像１５０ａを消去することもできる。すなわち、チップ画像像１５０ａの移動を実施することができる。これにより、画像データ生成装置５０を操作してチップ描画画像１５０Ａの描画画像データを生成する操作者などは、基のチップ画像像１５０ａが割り付けられたチップ表示像１６ａをドラッグし、移動先のチップ表示像１６ａにドロップするという簡単な操作で、チップ画像像１５０ａの移動を実施させることができる。
【０１４０】
（２１）プルダウンメニューの「選択画像表示」が選択されることで、選択画像表示画面１５５を表示する。これにより、画像データ生成装置５０を操作してチップ描画画像１５０Ａの描画画像データを生成する操作者などは、プルダウンメニューの「選択画像表示」をクリックするという簡単な操作で、現在選択されているチップ画像１５０を確認することができる。
【０１４１】
（２２）描画体表示画面７００は、レイアウト表示画面７２０と、描画体全体画面７２１とを備えている。レイアウト表示画面７２０は、作業用の画面である。描画体全体画面７２１は、チップ描画体１５の全体を表示する画面である。チップ描画体１５の部分を表示するレイアウト表示画面７２０を作業用の画面とすることで、画像データ生成装置５０を操作してチップ描画画像１５０Ａの描画画像データを生成する操作者などが、拡大表示されたチップ描画体１５を詳細に確認できるようにすることができる。描画体全体画面７２１によって、チップ描画体１５の全体形状を確認することができる。レイアウト表示画面７２０においてチップ描画体１５の全体を拡大して表示する場合にくらべて、表示装置５３が大きくなることを抑制することができる。
【０１４２】
（２３）描画装置ユニット１００は、液滴吐出装置１０１と、搬送ロボット１０２と、前処理装置１０３と、温度調整装置１０４ａと、温度調整装置１０４ｂと、ロード装置１０５と、アンロード装置１０６と、描画ユニット制御装置１０７と、を備えている。画像データ生成装置５０は、描画装置ユニット１００を用いてチップ描画画像１５０Ａを描画するための描画画像データを生成する機能を有している。これにより、描画装置ユニット１００に、画像データ生成装置５０によって生成した描画画像データを入力し、チップ描画体１５を供給することで、半導体チップ１６にチップ画像１５０を描画することができる。
【０１４３】
以上、添付図面を参照しながら好適な実施形態について説明したが、好適な実施形態は、前記実施形態に限らない。実施形態は、要旨を逸脱しない範囲内において種々変更を加え得ることは勿論であり、以下のように実施することもできる。
【０１４４】
（変形例１）前記実施形態においては、「チップ画像挿入」などの指令は、プルダウンメニューから選択することによって選択していたが、他の方法によって選択することも可能である。例えば、「チップ画像挿入」などの指令を選択できるツールバーを設定し、当該ツールバーから選択する方法であってもよい。あるいは、マウスを使用して、右ボタンクリックメニューから選択する方法であってもよい。
【０１４５】
（変形例２）前記実施形態においては、チップ画像像１５０ａの消去は、プルダウンメニューの「割付解除」が選択されることによって実施されていたが、他の方法によって消去を指令してもよい。例えば、ＤＥＬＥＴＥキーを消去指示入力部として用いてもよい。
【０１４６】
（変形例３）前記実施形態においては、チップ画像像１５０ａ（チップ画像１５０）の割付先のチップ表示像１６ａは、チップ画像像１５０ａが割り付けられていないチップ表示像１６ａであった。しかし、チップ画像像１５０ａ（チップ画像１５０）の割付先のチップ表示像１６ａとしては、すでにチップ画像像１５０ａが割り付けられているチップ表示像１６ａを選択することもできる。これにより、チップ表示像１６ａが割り付けられているチップ画像像１５０ａを消去する工程を必要とせずに、割り付けられているチップ画像像１５０ａを他のチップ画像像１５０ａに変更することができる。
【０１４７】
（変形例４）前記実施形態においては、チップ描画画像１５０Ａの描画画像データにしたがってチップ描画画像１５０Ａを描画する描画装置ユニット１００は、インクジェット方式の液滴吐出ヘッド２０を備える液滴吐出装置１０１を備えていた。しかし、描画を実施する装置がインクジェット方式の吐出ヘッドを備える装置であることは必須ではない。描画を実施する装置は、インクジェット方式以外の方式の吐出ヘッドを備える装置であってもよい。吐出ヘッドは、液状体を液滴としてではなく、連続して吐出するような方式の吐出ヘッドであってもよい。
また、描画を実施する装置が液状体を用いて画像を形成する装置であることも必須ではない。レーザー光を照射して、被描画媒体におけるレーザー光が照射された部分の状態を変化させることによって画像を形成する装置などであってもよい。
【０１４８】
（変形例５）前記実施形態においては、画像データ生成装置５０は、描画装置ユニット１００とは別の装置であったが、データ生成装置が画像を形成する装置と別体であることは必須ではない。描画ユニット制御装置１０７のような描画制御装置が、画像データ生成装置５０のようなデータ生成装置を含む構成であってもよい。また、描画制御装置とデータ生成装置とを電気的に接続して、画像データを、データ生成装置から描画制御装置に直接送信する構成であってもよい。
【０１４９】
（変形例６）前記実施形態においては、画像データ生成装置５０は、描画装置ユニット１００を用いてチップ描画画像１５０Ａなどを描画するための描画画像データを生成する機能を有していた。したがって、前処理工程や、被描画媒体の給材や除材に関わるデータも生成可能であった。しかし、データ生成装置が生成する画像データが、前処理工程や、被描画媒体の給材や除材に関わるデータまで含むことは必須ではない。データ生成装置は、液滴吐出装置１０１のような描画装置を稼働させるために必要なデータを形成できる機能のみを備える装置であってもよい。
前記実施形態においては、描画画像データの生成工程において、アライメントマーク設定工程などの画像処理マーク設定工程（図５のステップＳ２３）や、描画装置ユニット設定工程（図５のステップＳ２５）を実施していた。しかし、描画画像データの生成工程が、前処理工程や、被描画媒体の給材や除材に関わる設定を実施する工程を含むことは必須ではない。前処理工程や被描画媒体の給材や除材に関わる設定を実施する工程は、描画画像データの生成工程とは別の工程で実施してもよい。
【０１５０】
（変形例７）前記実施形態においては、被描画媒体として半導体チップ１６を例にして説明したが、被描画媒体は半導体チップに限らない。上述したデータ生成装置、データ生成方法、又はプログラムが好適に機能する被描画媒体は、多数の被描画媒体に対して被描画媒体のそれぞれに画像を描画する際に、略同時に描画を実施することで効率よく描画できるような被描画媒体であれば、どのような被描画媒体であってもよい。例えば、パッケージされた半導体装置へのマーキングや、ラベルへの印刷や、様々な器物への加飾や、配線基板への金属配線の印刷などを実施する場合にも、上述したデータ生成装置、データ生成方法、又はプログラムを好適に適用することができる。
【０１５１】
（変形例８）前記実施形態においては、被描画体として、半導体チップ１６を保持基板１７の上に整列させて仮固定したチップ描画体１５を例にして説明した。しかし、被描画体が、保持基板１７のような保持部材に被描画媒体を固定したものであることは必須ではない。被描画体は、被描画体が区画形成されて、それぞれの被描画媒体に分離される前の基材などであってもよい。例えば、半導体装置が区画形成されて、それぞれの半導体装置（半導体チップ）に分離される前のウェハーのようなものであってもよい。被描画媒体に分離される前の基材に描画する場合、個別の被描画媒体にそれぞれの特性を印刷するための画像データを生成する場合にも、上述したデータ生成装置、データ生成方法、又はプログラムを好適に適用することができる。個別の被描画媒体にそれぞれの特性を印刷する場合の特性は、例えばウェハーに形成された半導体装置の検査結果などである。
【符号の説明】
【０１５２】
１５…チップ描画体、１６…半導体チップ、１６Ａ…チップユニット、１６ａ，１６ｂ，１６ｃ，１６ｄ，１６ｅ，１６ｆ，１６ｇ，１６ｈ，１６ｋ，１６ｍ…チップ表示像、１７…保持基板、１７ａ…保持基板表示像、２０…液滴吐出ヘッド、５０…画像データ生成装置、５１…ホストコンピューター、５１ａ…演算装置、５１ｂ…記憶装置、５２…入出力装置、５３…表示装置、５３ａ…画面表示部、６０…設定画面、６１…工程表示画面、６２…工程移行ボタン、６３…完了ボタン、６４…制限値表示画面、６８…警告画面、７１…補助表示画面、７２…プレビュー画面、７４…パラメーター位置画面、７７…表示選択ボックス、８１…図形表示部、８２…パラメーター表示部、８４…ユニット枠、８９…領域指示枠、９１…入力画面、９２…入力ボックス、９３…ボックス表示、１００…描画装置ユニット、１０１…液滴吐出装置、１０２…搬送ロボット、１０３…前処理装置、１０４ａ，１０４ｂ…温度調整装置、１０５…ロード装置、１０６…アンロード装置、１０７…描画ユニット制御装置、１５０…チップ画像、１５０Ａ…チップ描画画像、１５０ａ，１５０ｂ，１５０ｃ，１５０ｋ…チップ画像像、１５５…選択画像表示画面、６００…画像割付画面、７００…描画体表示画面、７２０…レイアウト表示画面、７２１…描画体全体画面、７２２…プレビュー表示、７４０…チップ画像表示画面、７５０…プルダウンメニュー表示。
【図１】
0005799584.tif 000002
【図２】
0005799584.tif 000003
【図３】
0005799584.tif 000004
【図４】
0005799584.tif 000005
【図５】
0005799584.tif 000006
【図２３】
0005799584.tif 000007
【図６】
0005799584.tif 000008
【図７】
0005799584.tif 000009
【図８】
0005799584.tif 000010
【図９】
0005799584.tif 000011
【図１０】
0005799584.tif 000012
【図１１】
0005799584.tif 000013
【図１２】
0005799584.tif 000014
【図１３】
0005799584.tif 000015
【図１４】
0005799584.tif 000016
【図１５】
0005799584.tif 000017
【図１６】
0005799584.tif 000018
【図１７】
0005799584.tif 000019
【図１８】
0005799584.tif 000020
【図１９】
0005799584.tif 000021
【図２０】
0005799584.tif 000022
【図２１】
0005799584.tif 000023
【図２２】
0005799584.tif 000024